(57)【要約】  半透過性物品は、内部に複数開口部を有する主表面を有する第１の外側主表面を有する第１層と、主要半透過性表面を有する第２層と、を含む。半透過性物品は、例えばライトアセンブリに有用である。【選択図】図１
2013515289.tif 000002
【特許請求の範囲】
【請求項１】
半透過性物品であって、
内部に複数の開口部を有する主表面を有する第１層と、
主要半透過性表面を有する第２層と、を備える、物品。
【請求項２】
前記主要半透過性表面は、前記第１層の前記開口部と反対側に面し、請求項１に記載の半透過性物品。
【請求項３】
前記主要半透過性表面は、前記第１層の前記開口部に面する、請求項１に記載の半透過性物品。
【請求項４】
ライトアセンブリであって、
請求項１〜３のいずれか一項に記載の半透過性物品と、
外側主表面を有する外側ライトカバーと、
内側主表面を有する反射体であって、前記半透過性物品が、前記外側ライトカバーの前記外側主表面と、前記反射体の前記内側主表面との間に配置される、反射体と、
第１の光源と、を備え、
前記半透過性物品と前記反射体との間に光学キャビティが存在し、前記半透過性表面は前記光源に面し、前記第１の光源は光を前記光学キャビティ内に導入するように位置決めされている、ライトアセンブリ。
【請求項５】
ライトアセンブリであって、
外側主表面を有する外側ライトカバーと、
請求項１〜３のいずれか一項に記載の半透過性物品と、
内側主表面を有する反射体であって、前記半透過性物品が、前記外側ライトカバーの前記外側主表面と、前記反射体の前記内側主表面との間に配置される、反射体と、
第１の光源と、を備え、
前記外側ライトカバーと前記反射体との間には光学キャビティが存在し、前記第１の光源は光を前記光学キャビティ内に導入するように位置決めされ、前記反射体の前記内側主表面は、前記半透過性表面に対して、該２つの表面の間の分離が、前記光源から離れる距離に沿って減少するように方向付けられ、距離に対する分離における減少の最大局所比率は０．８：１未満である、ライトアセンブリ。
【請求項６】
ライトアセンブリであって、
第１及び第２の概ね対向する主表面、並びに第１の色を有する第１区域、及び第２の、異なる色若しくは透明のうちの少なくとも一方を有する第２区域を有する外側ライトカバーであって、前記第２主表面は内側主表面である、外側ライトカバーと、
前記外側ライトカバーの前記内側主表面の少なくとも３０パーセントと平行である内側主表面を有する反射体と、
前記外側ライトカバーと前記反射体との間に配置された請求項１〜３のいずれか一項の半透過性物品であって、その内側レンズは第１及び第２の概ね対向する主表面を有する、半透過性物品と、
通電されたときに第１の色を放射する第１の光源と、を含み、
半透過性表面の内側主表面と、前記反射体の内側主表面との間に光学キャビティが存在し、前記第１の光源は、通電されたときに、前記外側カバーの第１主表面から見た際に、前記第１区域及び前記第２区域に同じ色を提供するように前記光学キャビティ内へ光を導入するように選択され、かつ配置される、ライトアセンブリ。
【発明の詳細な説明】
【背景技術】
【０００１】
光源の用途は当該技術分野で周知であり、それらの用途としては、所与の領域にかけて所望の方向に比較的均一に発光するように構成されるものが含まれる。均一性の程度及び照準の程度は特定の用途によって決まるが、発光面積は、点灯されている装置と概ね同等である。
【０００２】
ライティングの一般的な用途としては、ディスプレイ及び看板用のバックライト、並びに車両ライトが挙げられる。液晶ディスプレイ（ＬＣＤ）は、ラップトップコンピュータ、モニター及びテレビに一般的に使用される。液晶はそれ自体の光を生成せず、光を調節するのみであるので、バックライトと呼ばれる方向性を有するエリアライティングをＬＣＤの背後に提供することが一般に行われている。バックライトはＬＣＤとほぼ同じサイズであり、ＬＣＤを通して観察者の方へ向けられるビームを提供する。バックライトの１つの型式は、プラスチックライトガイドの縁を照らす少なくとも１つの蛍光灯を一般に備える。光は、ライトガイドの表面上の光抽出機構（例えば出っ張り、窪み、及び塗料の短点）を介してライトガイドから抽出される。
【０００３】
内部の光源と、その上に形成される文字及び／又は図柄を有する半透明の外側カバーと、を備える型式の照明看板は、方向性を有するエリアライティングのもう一つの用途である。この用途での１つの一般的な内部光源は、一列の蛍光電球であり、要求される均一性はそれらの電球と外側カバーとの間に拡散板を置くことによって達成される。
【０００４】
車両ライト（例えばヘッドライト及びテールライト）もまた、方向性を有するエリアライティングの例である。例えば、２００７年７月に刊行されたＳＡＥ  Ｊ５８６  ＪＵＬ２００７号の６．４．２項は、ブレーキライトの最小限の照明面積として５０ｃｍ２を求めており、その解釈の仕方について詳述している。加えて、図３〜５及び５．１．５項の付随する文章は、特定の方向において発される必要のある最小及び最大の明度を指定している。
【０００５】
いくつかのタイプの好適な光源が入手可能であり、白熱電球、蛍光灯、放電ランプ、及び発光ダイオード（ＬＥＤ）が挙げられる。ＬＥＤ技術の最近の開発によって、それらは最も効率的な類のものとなっている。
【発明の概要】
【課題を解決するための手段】
【０００６】
一態様において、本開示は、半透過性物品であって、
内部に複数の開口部を有する主表面を有する第１層と、
主要半透過性表面を有する第２層と、を備える、物品を説明する。
【０００７】
所望により、半透過性物品は、少なくとも１つの可視光吸収領域（一部の実施形態では、複数の可視光吸収領域）を有する主表面を有する第３層を更に備える。
【０００８】
いくつかの実施形態において、第１層と第２層は一体化している。いくつかの実施形態では、半透過性表面の少なくとも一部分は湾曲している。いくつかの実施形態では、主要半透過性表面は開口部と反対側に面し、一方で他の実施形態では、主要半透過性表面は開口部に面する。典型的には、半透過性表面は第３層の可視光吸収領域に面する。いくつかの実施形態では、第１層、第２層、第３層はこの順であり、一方で、他では、例えば第３層は第１層と第２層との間である。いくつかの実施形態では、主要半透過性表面は微細構造体を備える。
【０００９】
本明細書で使用するとき、「湾曲した表面」は、表面の最長寸法の少なくとも２％（いくつかの実施形態では、少なくとも３％、４％、又は更には少なくとも５％）平面から逸れる表面を指す（すなわち、表面の任意の点から表面の最長寸法までの接平面の最大距離の百分率（接法線（tangent normal）によって測定されたとき）が少なくとも２％（いくつかの実施形態では、少なくとも３％、４％、又は場合によっては少なくとも５％）である）。
【００１０】
本明細書に記載の半透過性物品は、例えばライトアセンブリ（すなわち、光源及び本明細書に記載の半透過性物品を備えるライトアセンブリ）において有用である。
【００１１】
特定の照明用途では、市場において製品を差別化するために、スタイル及びデザイン機能も提供しながら、具体的な性能基準を満たすことが望まれている、又は要求されている。車両用の照明は係る用途の１つである。本明細書に記載の半透過性物品の実施形態の利点は、光の強度及び均一性を調節すること（性能要求を満たすために）と、照明自体によって強調される設計要素を紹介することの両方のために設計され得る。
【図面の簡単な説明】
【００１２】
【図１】本明細書に記載される例示の半透過性物品の断面図。
【図１Ａ】本明細書に記載される他の例示の半透過性物品の断面図。
【図２】本明細書に記載される他の例示の半透過性物品の断面図。
【図２Ａ】本明細書に記載される他の例示の半透過性物品の断面図。
【図３】本明細書の記載の様々な例示の半透過性物品を有する様々な例示のライトアセンブリの断面図。
【図４】本明細書の記載の様々な例示の半透過性物品を有する様々な例示のライトアセンブリの断面図。
【図５】本明細書の記載の様々な例示の半透過性物品を有する様々な例示のライトアセンブリの断面図。
【図６】本明細書の記載の様々な例示の半透過性物品を有する様々な例示のライトアセンブリの断面図。
【図７】図７Ａに示されるライトアセンブリの断面斜視図。
【図７Ａ】本明細書の記載の様々な例示の半透過性物品を有する様々な例示のライトアセンブリの断面図。
【図８】本明細書の記載の様々な例示の半透過性物品を有する様々な例示のライトアセンブリの断面図。
【図８Ａ】本明細書の記載の様々な例示の半透過性物品を有する様々な例示のライトアセンブリの断面図。
【図９】本明細書の記載の様々な例示の半透過性物品を有する様々な例示のライトアセンブリの断面図。
【図１０】本明細書の記載の様々な例示の半透過性物品を有する様々な例示のライトアセンブリの断面図。
【図１１】本明細書の記載の様々な例示の半透過性物品を有する様々な例示のライトアセンブリの断面図。
【図１２】本開示のライトアセンブリの例示の形状の斜視図。
【図１３】本開示のライトアセンブリの例示の形状の斜視図。
【図１４】本明細書に記載される透過性物品を有する、他の例示のライトアセンブリの斜視図。
【図１５】本明細書に記載の例示の半透過性物品を有する例示のライトアセンブリの端部及び断面側面図。
【図１５Ａ】（図１５の線ＡＡに沿って見た）本明細書に記載の例示の半透過性物品を有する例示のライトアセンブリの端部及び断面側面図。
【図１５Ｂ】（図１５の線ＢＢに沿って見た）本明細書に記載の例示の半透過性物品を有する例示のライトアセンブリの端部及び断面側面図。
【図１６】本明細書に記載の例示の半透過性物品を有する他の例示のライトアセンブリの端部及び断面側面図。
【図１６Ａ】（図１６の線ＡＡに沿って見た）本明細書に記載の例示の半透過性物品を有する他の例示のライトアセンブリの端部及び断面側面図。
【図１６Ｂ】（図１６の線ＢＢに沿って見た）本明細書に記載の例示の半透過性物品を有する他の例示のライトアセンブリの端部及び断面側面図。
【発明を実施するための形態】
【００１３】
図１を参照して、本開示１０に係る例示の半透過性物品は、内部に複数の開口部１２を有する主表面１６、１７を備える第１層１１と、主表面１８、１９を備える第２層１３と、任意の接着剤１５を有する。主表面１９は半透過性である。
【００１４】
図１Ａを参照して、本開示１０Ａに係る例示の半透過性物品は、内部に複数の開口部１２Ａを有する主表面１６Ａ、１７Ａを備える第１層１１Ａ層と、主表面１８Ａ、１９Ａを備える第２層１３Ａと、内部に複数の開口部２Ａを有する主表面６Ａ、７Ａを備える第３層３Ａと、任意の接着剤１５Ａを有する。主表面１９Ａは半透過性である。
【００１５】
図２を参照して、本開示２０に係る例示の半透過性物品は、内部に複数の開口部２２を有する主表面２６、２７を備える第１層２１と、主表面２８、２９を備える第２層２３と、任意の接着剤２５を有する。主表面２９は半透過性である。
【００１６】
図２Ａを参照して、本開示２０Ａに係る例示の半透過性物品は、内部に複数の開口部２２Ａを有する主表面２６Ａ、２７Ａを備える第１層２１Ａと、主表面２８Ａ、２９Ａを備える第２層２３Ａと、複数の開口部４Ａを有する主表面８Ａ、９Ａを備える第３層５Ａと、任意の接着剤２５Ａを有する。主表面２９Ａは半透過性である。
【００１７】
本明細書で使用するとき、「半透過性」は、部分的に反射し、部分的に透過することを意味するが、いくらか（例えばライトアセンブリの動作波長で５％未満）の吸収もまたあり得る。動作波長は、装置が動作する設計上の波長である。例えば、自動車のテールライトは赤色として設計されるので、その動作波長は概ね６１０ｎｍより大きい。より短い波長での吸収は動作スペクトルの範囲内ではない。別の例は、看板上に多色画像を有する看板である。そのような看板は、画像の全ての色を照らすために概して白色灯で照らす必要があるので、吸収は可視スペクトルにわたって５％未満でなくてはならない。いくつかの実施形態では、（特定の色又は透過の程度をもたらすために）５％を超える光吸収率に増すために、染料又は他の可視光吸収剤を半透過性構成要素に追加することができるが、半透過機能は維持されるものと理解されたい。
【００１８】
加えて、フレネル方程式によって与えられるように、全ての透明材料はいくらかの光を反射するので、半透過性は、次の式によって与えられる垂直入射でのフレネル方程式によって決まるものより大きい反射性を有するものと認識される。
【００１９】
【数１】
2013515289.tif 000003
【００２０】
式中、Ｒは垂直入射での反射率であり、ｎは材料の屈折率である。
【００２１】
典型的に、半透過性表面は平滑な部分的反射体又は構造化表面（例えば微細構造体）である。しかしながら、いくつかの実施形態では、半透過性表面は非平坦表面を有してもよく、少なくとも一部分に非平坦表面を有してもよい。非平坦化はランダムであってもよく、又は規則正しい対称的な方向付け（例えば反復パターン）を有してもよい。典型的には、非平坦化は均質で均一なライティングを容易にするか、さもなければ光分散効果をもたらす。半透過性表面は、例えば別個の一片（例えばプラスチックなどの一片）又はフィルムとして提供することができる。半透過性表面は、例えば、成形、サンドブラスト、ビードブラスト、化学エッチング、エンボス加工、及びレーザーアブレーション、及び他の、本開示を読んだ当業者には明白であり得る成形技法を含む、任意の数の技法によってもまた提供され得る。
【００２２】
本明細書に記載の半透過性物品のいくつかの実施形態では、主要半透過性表面の少なくとも一部分は湾曲している。本明細書で使用するとき、「湾曲した表面」は、表面の最長寸法の少なくとも２％（いくつかの実施形態では、少なくとも３％、４％、又は更には少なくとも５％）平面性から逸れる表面を指す（すなわち、表面の任意の点から表面の最長寸法までの接平面の最大距離の百分率（接法線（tangent normal）によって測定されたとき）が少なくとも２％（いくつかの実施形態では、少なくとも３％、４％、又は場合によっては少なくとも５％）である）。
【００２３】
本明細書に記載の半透過性物品のいくつかの実施形態では、半透過性表面は第１の構造体群を有する第１領域と、異なる第２の構造体群を有する第２領域とを含む。
【００２４】
本明細書に記載の半透過性物品のいくつかの実施形態では、半透過性表面は第１及び第２の半透過性の領域を含み、第１の半透過性の領域は第２の半透過性の領域より第１の波長の光に対してより半透過性であり、第２の半透過性の領域は第１の半透過性の領域より第２の異なる波長の光に対してより半透過性である。
【００２５】
本明細書に記載の半透過性物品のいくつかの実施形態では、第１層は可視光に対して光学的に透明（すなわち約８０％の透過性）である材料から作製され、一方、他の例示の実施形態では、第１層は可視光に対して不透明（すなわち約１０％未満の透過性）である材料から作製される。好適な透明の材料には、ポリカーボネート、アクリレート、メタクリレート、ポリエステルが挙げられる。好適な不透明の材料には、オレフィン及び着色されたポリマー（例えば着色されたポリカーボネート、アクリレート、メタクリレート、及びポリエステル）が挙げられる。
【００２６】
少なくとも１つの可視光吸収領域を有する任意の第３層は、典型的に審美的効果のために使用される。いくつかの実施形態では、第３層は複数の可視光吸収領域を有する。可視光吸収の程度は様々なであってよく、いくつかの実施形態では、可視光吸収領域の少なくとも一部分は全ての入射光を遮断する。可視光吸収領域は規則的なパターンを形成してもよく、及び／又は勾配パターンを有してもよい。可視光吸収領域は、英数字、及び／又は商標の印を含め、任意の様々な所望の寸法、形状等（例えば、円形、楕円形、実線、三角形、正方形、矩形、五角形、又は他の多角形、正弦波形状、不規則な形状、ジグザグ等）であってもよく、並びにそれに隣接する開口部を有してもよい。可視光吸収領域は、ツールを作るために印刷、リソグラフィなど当該技術分野において既知の技法を使用して提供されてもよく、このツールはひいては、ポリマー押出し成形複製又はエンボス加工で使用される。開口部は例えば、穿孔フィルムの積層によって提供され得る。開口部はまた、印刷によって提供されてもよい。
【００２７】
本明細書に記載の半透過性物品のいくつかの実施形態では、開口部は規則的なパターンを有し、及び／又は勾配パターンを有する。代表的な開口部は、以下の形状の少なくとも１つを有する：円形、楕円形、実線、三角形、正方形、矩形、五角形、又は他の多角形。正弦波形状、不規則な形状、ジグザグ形状、装飾的形状もまた使用されてもよい。開口部は対称的であっても、又は非対称であってもよい。開口部は英数字及び／又は商標の印の形状を有してもよい。いくつかの実施形態では、開口部は、第１層の第１主表面の少なくも５０（いくつかの実施形態では、少なくとも５５、６０、６５、７０、又は更には少なくとも７５、いくつかの実施形態では、例えば５０〜８０、６０〜８０、６５〜８０、又は６０〜７５の範囲）パーセントの面積を構成する。いくつかの実施形態では、第１層の開口部に関して、最大寸法は０．５ｍｍ〜２５ｍｍの範囲である。いくつかの実施形態では、第３層の開口部に関して、最大寸法は５ｍｍ〜３００ｍｍの範囲である。開口部は、ツールを作るためにリソグラフィなど当該技術分野において既知の技法を使用して提供されてもよく、このツールはひいては、ポリマー押出し成形複製又はエンボス加工で使用される。開口部は例えば、穿孔フィルムの積層によって提供され得る。
【００２８】
本明細書に記載の半透過性物品のいくつかの実施形態では、第１層及び第２層は一体化されており、ツールを作るために印刷、リソグラフィなど当該技術分野において既知の技法を使用して提供され、このツールはひいては、ポリマー押出し成形複製又はエンボス加工で使用される。一方、他の例示の実施形態では、例えば第１層及び第２層は、感圧接着剤（再配置可能な感圧性接着剤を含める）及び／又は恒久的接着剤を介して、少なくとも部分的に一緒に固定される。いくつかの実施形態において、第１層と第２層は一緒に熱によって熱ラミネートされる。
【００２９】
本明細書に記載の半透過性物品のいくつかの実施形態では、第１層はその主表面上に印（例えば英数字）の印刷を有する。印は例えば印刷されてもよい。
【００３０】
構造化された半透過性表面は、入射光の実質的な部分を反射し、実質的な部分を透過するために、複数の微小な構造体を有する。表面の反射率は、局所的形状のこの変化によって主に変化する。有用な構造体としては、リニアプリズム、三角形、正方形、六角形、又は他の多角形の基底を有する角錘プリズム、円錐、楕円体が挙げられ、これらの構造体は表面から延出する突起又は表面内に延びる窪みの形態であってもよい。構造体のサイズ、形、幾何学的形状、配向、及び間隔、複数の（例えば異なるサイズ、形、幾何学的形状、配向などの）異なる構造体の使用、並びに間隔の密度は、ライトアセンブリの性能を最適化するために、さもなくば所望の効果をもたらすために、選択することができる。個々の構造体は対称及び／又は非対称であってよい。構造化表面は均一及び／又は不均一であってもよく、不均一の場合、構造の位置及びサイズはランダムでも見掛け上ランダムであってもよい。この文脈における「均一」は、構造化表面が反復構造パターンを含むことを意味するものと理解される。構造体のサイズ、形、幾何学的形状、配向、及び／又は間隔の周期的又は見掛け上ランダムな変化によって規則的な機能を混乱させることで、ライトアセンブリの色及び／又は輝度の均一性を調整することができる。場合によっては、より小さい構造体が光源の上に概ね整列され、より大きい構造体が他の場所に位置付けられるように、大小の構造体の分布を有すること及び半透過性表面を位置付けることは有益であり得る。いくつかの実施形態では、構造体の間のランドが最小限になるように（実質的にそれらの間がない構成を含む）、構造体を密に集めることができる。いくつかの実施形態では、ランド領域を制御して、半透過性表面を通過する光の量を調節することが望ましい場合がある。
【００３１】
構造体の高さ対基線長の比率は、半透過性物品の性能のためにある程度重要である。構造体の基底は、加えられた形がない場合に存在するであろう表面であり、その基線長は、基底の周囲の任意の点から別の任意の点までの最大寸法である。高さは、構造体の基底から、その基底から最も遠い点までの距離を意味すると理解される。
【００３２】
好ましい実施形態で、構造体は高さ約０．２５ｍｍであり、半透過性領域の約３０％が平らである。
【００３３】
典型的には、構造体の高さは約０．０１ｍｍ〜３ｍｍ（いくつかの実施形態では約０．０５ｍｍ〜約０．５ｍｍ）の範囲であるが、他のサイズもまた有用である。
【００３４】
いくつかの実施形態で、半透過性表面は、高さ対基線長の比率が０．１：１、０．１：２、０．１：３、又は更には０．４：１より大きい複数の形から構成される構造体を有する。
【００３５】
好適な構造化半透過性表面の例としては、商品名「ＶＩＫＵＩＴＩ  ＢＲＩＧＨＴＮＥＳＳ  ＥＮＨＡＮＣＥＭＥＮＴ  ＦＩＬＭ」、「ＶＩＫＵＩＴＩ  ＴＲＡＮＳＭＩＳＳＩＶＥ  ＲＩＧＨＴ  ＡＮＧＬＥ  ＦＩＬＭ」、「ＶＩＫＵＩＴＩ  ＩＭＡＧＥ  ＤＩＲＥＣＴＩＮＧ  ＦＩＬＭ」、「ＶＩＫＵＩＴＩ  ＯＰＴＩＣＡＬ  ＬＩＧＨＴＩＮＧ  ＦＩＬＭ」で３Ｍ  Ｃｏｍｐａｎｙ（Ｓｔ．Ｐａｕｌ，ＭＮ）から入手可能なもののような市販の１次元（リニア）プリズム高分子フィルム及び従来のレンズ状リニアレンズアレイが挙げられる。本明細書に記述したライトアセンブリにこれらの１次元プリズムフィルムを半透過性表面として使用するときは、そのプリズム構造化表面が光源に面することが通常は望ましい。
【００３６】
構造化表面が２次元特性を有する好適な構造化半透過性表面の追加的な例としては、米国特許第４，５８８，２５８号（Ｈｏｏｐｍａｎ）、同第４，７７５，２１９号（Ａｐｐｅｌｄｏｒｎら）、同第５，１３８，４８８号（Ｓｚｃｚｅｃｈ）、同第５，１２２，９０２号（Ｂｅｎｓｏｎ）、同第５，４５０，２８５号（Ｓｍｉｔｈら）、及び同第５，８４０，４０５号（Ｓｈｕｓｔａら）に報告されているようなキューブコーナー表面構成、米国特許第６，２８７，６７０号（Ｂｅｎｓｏｎら）、及び同第６，２８０，８２２号（Ｓｍｉｔｈら）に報告されているような逆プリズム表面構成、米国特許第６，７５２，５０５号（Ｐａｒｋｅｒら）及び米国出願公開第２００５／００２４７５４号（Ｅｐｓｔｅｉｎら）に報告されているような構造化表面フィルム、米国特許第６，７７１，３３５号（Ｋｉｍｕｒａら）に報告されているようなビードシートが挙げられ、これらの開示は参照により本明細書に組み込まれる。
【００３７】
いくつかの実施形態で、半透過性表面は少なくとも部分的に（例えば少なくとも１０％、１５％、２０％、２５％、３０％、３５％、４０％、４５％、５０％、５５％、６０％、６５％、７０％、７５％、８０％、８５％、９０％、９５％、９７％、９８％、９９％、又は更には１００％）反射性である。反射は半鏡面反射（semi-specular）であってもよい。「半鏡面反射」の反射体は、鏡面反射特性と拡散特性のバランスを提供する。半鏡面反射表面は、例えば（１）部分透過性の鏡面反射体と高反射率の拡散反射体、（２）高反射率の鏡面反射体を覆う部分ランバート式拡散体、（３）前方散乱拡散体と高反射率の鏡面反射体、又は（４）波形の高反射率の鏡面反射体によって提供することができる。半鏡面反射材料に関する追加的な詳細はＰＣＴ特許出願第ＵＳ２００８／８６４１１５号（代理人整理番号第６３０３２ＷＯ００３号）に見出すことができ、その開示は参照により本明細書に組み込まれる。
【００３８】
いくつかの実施形態では、半透過性表面が再帰反射性でもあることが望ましい。これは、光学キャビティ内の光の透過及び反射に加えて、半透過性表面が、外側レンズカバーの外側からの半透過性表面への入射光の実質的な部分もまた反射して光源の概ねの方向に戻すことを意味すると理解される。従来、これは、微細構造体の形のためのキューブコーナー（３つの直角を有するテトラヘドラ）によって為される。高い再帰反射性が望ましくないいくつかの実施形態では、キューブコーナーの間若しくはキューブコーナーの群の間に間隔を置いてそれらを使用することによって、又は９０度と異なるように角度を調整することによって、再帰反射性の低減を実現することができる。部分的再帰反射性は、入射光の、例えば１０％から、２０％、３０％、４０％、５０％、６０％、７０％、８０％、又は、更には少なくとも９０％を戻すまでの範囲であってよい。部分的再帰反射性は、例えば再帰反射性表面における物理的開口部（例えば穴、スロット、穿孔など）によって、又は他の方法としては再帰反射性機能を破壊することによって（例えば再帰反射性構造の表面をコーティング又は接着剤で充填することによって）も、誘導することができる。また、空間的変異型構造体を使用してもよい。「空間的変異型構造体」は、表面にわたる構造体の、サイズ、間隔、形、又は他のいくつかのパラメータの変化を意味する。
【００３９】
本明細書に記載の半透過性物品は、例えばライトアセンブリ（すなわち、光源及び本明細書に記載の半透過性物品を備えるライトアセンブリ）において有用である。いくつかの実施形態では、半透過性表面は光源に向かって面し、一方、他の実施形態では、それは反対側を向く。いくつかの実施形態では、複数の開口部は半透過性表面に対してよりも、光源に近く、一方、他の実施形態では、半透過性表面は複数の開口部に対してよりも、光源に近い。いくつかの実施形態では、ライトアセンブリは内側主表面を有する反射体を更に備える。
【００４０】
例えば、図３を参照して、例示のライトアセンブリ３０は、光学キャビティ３６、反射体３７、光源３８、及び半透過性物品１０（図１を参照）を有し、半透過性表面１９は光源３８の方に面している。
【００４１】
図４を参照して、例示のライトアセンブリ４０は、光学キャビティ４６、反射体４７、光源４８、及び半透過性物品１０（図１を参照）を有し、半透過性表面１９は光源４８と反対側に向いている。
【００４２】
図５を参照して、例示のライトアセンブリ６０は、光学キャビティ６６、反射体６７、光源６８、及び半透過性物品２０（図２を参照）を有し、半透過性表面２９は光源６８と反対側に向いている。
【００４３】
例えば、図６を参照して、例示のライトアセンブリ５０は、光学キャビティ５６、反射体５７、光源５８、及び半透過性物品２０（図２を参照）を有し、半透過性表面２９は光源５８の方に向いている。
【００４４】
いくつかの実施形態は、外側主表面を有する外側ライトカバーを更に備え、半透過性物品は、外側ライトカバーの外側主表面と、反射体の内側主表面との間に配置される。いくつかの実施形態では、半透過性物品と反射体との間に光学キャビティが存在し、半透過性表面は光源に面し、第１の光源は光を光学キャビティ内に導入するように位置決めされている。
【００４５】
本明細書に記述したライトアセンブリの実施形態は、例えば看板、バックライト、ディスプレイ、タスクライティング、照明器具、車両（例えば車、トラック、飛行機など）部品として有用である。ライトアセンブリを備える車両としては、ライトアセンブリが車両のテールライトアセンブリであるものも含まれる。
【００４６】
例えば、図７及び７Ａを参照して、例示の自動車のテールライトアセンブリ１１０は、湾曲した外側ライトカバー１１２と、内側主表面１１７を有する反射体１１６と、発光ダイオード１１８と、を有する。外側ライトカバー１１２は、２つピース１０及び１１４から構成されている（更なる詳細に関して図１を参照）。所望により、自動車のテールライトアセンブリ１１０は拡散体１１９を含む。
【００４７】
図８を参照して、例示のライトアセンブリ１２０は、湾曲した外側ライトカバー１２２と、内側主表面１２７を有する反射体１２６と、発光ダイオード１２８と、を有する。半透過性物品１０（更なる詳細に関しては図１を参照）は、外側ライトカバー１２２の内側主表面１２３に取り付けられる。
【００４８】
図８Ａを参照して、例示のライトアセンブリ１２２０は、湾曲した外側ライトカバー１２２２と、内側主表面１２２７を有する反射体１２２６と、発光ダイオード１２２８と、を有する。半透過性物品１０（更なる詳細に関しては図１を参照）は、外側ライトカバー１２２２の内側主表面１２２３に対してである。
【００４９】
図９を参照して、例示のライトアセンブリ１３０は、湾曲した外側ライトカバー１３２と、内側主表面１３７を有する反射体１３６と、発光ダイオード１３８と、を有する。半透過性物品１０（更なる詳細に関しては図１を参照）は、外側ライトカバー１３２の内側主表面１３３に取り付けられる。
【００５０】
図１０を参照して、例示のライトアセンブリ１４０は、内側の成形された半透過性主表面（１９）と、内側主表面１４７を有する反射体１４６と、発光ダイオード１４８と、を有する半透過性物品１０を有する（詳細に関しては図１を参照のこと）（これは湾曲した外側ライトカバーである）。
【００５１】
ライトアセンブリの別の例示の形状を図１２及び１３に示す。図１２を参照すると、ライトアセンブリ１５０、１６０はそれぞれ、対応する外側ライトカバー１５２、１６２をそれぞれ有する。
【００５２】
いくつかの実施形態では、反射体の内側主表面は、半透過性表面に対して、２つの表面の間の分離が、光源から離れる距離に沿って減少するように方向付けられ、距離に対する分離における最大局所比率は０．８：１未満（いくつかの実施形態では、０．７：１、０．６：１、０．５：１、０．４：１、０．３５：１、０．３：１、０．２５：１、０．２：１、０．１５：１、０．１：１未満、又は更には０．０５：１未満）である。いくつかの実施形態では、外側ライトカバー及び／又は半透過性表面の少なくとも一部分は湾曲している。
【００５３】
例えば、図１４を参照すると、代表的なライトアセンブリ１７０は、外側ライトカバー１７１と、反射体１７３と、光源１７５と、を有し、外側ライトカバー１７１と、反射体１７３の内側主表面１７４との間の分離の減少を示す。
【００５４】
いくつかの実施形態において、ライトアセンブリは、
第１及び第２の概ね対向する主表面、並びに第１の色を有する第１区域、及び第２の、異なる色若しくは透明のうちの少なくとも一方を有する第２区域を有する外側ライトカバーであって、第２主表面は内側主表面である、外側ライトカバーと、
外側ライトカバーの内側主表面の少なくとも３０（４０、５０、６０、７０、８０、又は更には少なくとも９０）パーセントに対して平行である内側主表面を有する反射体と、
外側ライトカバーと反射体との間に配置された本明細書に記載の半透過性物品であって、その内側レンズは第１及び第２の概ね対向する主表面を有する、半透過性物品と、
通電されたときに第１の色を放射する第１の光源と、を備え、
半透過性表面の内側主表面と、反射体の内側主表面との間に光学キャビティが存在し、第１の光源は、通電されたときに、外側カバーの第１主表面から見たときに、第１区域及び第２区域に同じ色（本明細書で記載される「色試験」によって決定されるように）を提供するように選択され、かつ配置されて、光学キャビティ内へ光を導入する。いくつかの実施形態では、外側ライトカバーは湾曲している。典型的に、湾曲した半透過性の主表面は、反射体に対して概ね凸状である。
【００５５】
１つの代表的な実施形態では、第１区域の第１の色は赤色であり、第１の光源の第１の色は赤色である。更なる代表的な実施形態では、第２区域の第２の色は白色であるか、又は透明である。更なる代表的な実施形態では、ライティングアセンブリ（ライトアセンブリ）は、通電されたときに、第１の光源の第１の色（本明細書に記載されるとき、「色試験」によって決定されるように）とは異なる第２の色（例えば白色）を放射する第２の光源を更に備え、第２の光源は、通電されたときに、外側カバーの第１主表面から見たときに、第１区域に同じ色を提供するように、また任意に、第２区域に第２の色（本明細書に記載されるとき、「色試験」によって決定されるように）を提供するように選択され、かつ配置されて、光学キャビティ内へ光を導入する。更なる代表的な実施形態では、ライティングアセンブリ（ライトアセンブリ）は、通電されたときに、通電されたときの第１の光源と同じ（「色試験」によって決定される）ではあるが、より明るい色を放射する第３の光源を更に備え、この第３の光源は通電されたときに、外側カバーの第１主表面から見たときに、第１の光源の強度よりも明るい光強度を提供するように選択され、配置されて、光学キャビティ内へ光を導入する。更なる代表的な実施形態では、ライティングアセンブリ（ライトアセンブリ）は、通電されたときに、第１の光源の第１の色（本明細書に記載されるとき、「色試験」によって決定されるように）、第２の光源の第２の色、及び存在する場合は、第３の光源の第３の色とは異なる第４の色（例えば琥珀色）を放射する第４の光源を更に備え、第４の光源は、通電されたときに、外側カバーの第１主表面から見たときに、第１の光源の第１の色（本明細書に記載されるとき、「色試験」によって決定されるように）、第２の光源の第２の色、及び存在する場合は、第３の光源の第３の色とは異なる色を提供するように選択され、かつ配置されて光学キャビティ内へ光を導入する。いくつかの実施形態では、第１の光源、第２の光源、存在する場合、第３の光源、及び存在する場合、第４の光源は、単一の光学キャビティ内である。いくつかの実施形態では、単一のライトキャビティ内には２つ以下の異なる光源が存在する。
【００５６】
「色試験（Color Test）」は、ＳＡＥ  Ｓｔａｎｄａｒｄ  Ｊ５７８（１９９５年６月）の「Ｃｏｌｏｒ  Ｓｐｅｃｉｆｉｃａｔｉｏｎ  ｆｏｒ  Ｅｌｅｃｔｒｉｃａｌ  Ｓｉｇｎａｌ  Ｌｉｇｈｔｉｎｇ  Ｄｅｖｉｃｅｓ」であり、その開示はここに援用するものである。この規格の第３項は、色度図上のＸ及びＹ値により、発光境界を介して様々な色の定義を説明する。この規格の以下の４．１．２項に従い、５軸のゴニオメーター（gonimetric）の動作制御システム（Ｗｅｓｔａｒ  Ｄｉｓｐｌａｙ  Ｔｅｃｈｎｏｌｏｇｉｅｓ，Ｉｎｃ．（Ｓａｉｎｔ  Ｃｈａｒｌｅｓ，ＭＯ）からの「ＷＥＳＴＡＲ  ＦＰＭ  ５２０」）と組み合わせて、コサイン補正レンズを有する分光放射計（Ｐｈｏｔｏ  Ｒｅｓｅａｒｃｈ  Ｉｎｃ．（Ｃｈａｔｓｗｏｒｔｈ，ＣＡ）からＰＲ−７０５  ＳＰＥＣＴＲＡＳＣＡＮ  ＳＹＳＴＥＭ）の商品名で入手）を使用した。
【００５７】
例えば、１６、１６Ａ、及び１６Ｂを参照して、例示の自動車のテールライトアセンブリ２１０は、第１及び第２の概ね対向する主表面２１３、２１４、並びに第１の色（例えば赤色）を有する第１区域２１１５、及び第２の異なる色（例えば透明若しくは白色）を有する第２区域２１６を備える、（任意に湾曲している）外側ライトカバー２１２を有する。自動車のテールライトアセンブリ２１０は、内側主表面２１８を有する反射体２１７と、外側ライトカバー２１２と反射体２１７との間に配置された半透過性物品１０（詳細に関して図１を参照）と、半透過性物品１０と、通電されたときに、第１の色（例えば赤色）を放射する第１の光源２２２と、を更に含む。内側レンズの主表面２２１と、反射体の主表面２１８との間には光学キャビティ２３０がある。第１の光源２２２（例えば赤色、例えば、走行用ライト及び／又は駐車用ライトの機能のために）は、通電されときに、第１主表面２１３から見たときに、第２区域２１５及び第２区域２１６に同じ色を提供するように選択され、かつ配置されて、光学キャビティ２３０内へ光を導入する。いくつかの実施形態では、外側ライトカバーは湾曲している。
【００５８】
任意に、ライトアセンブリ２１０は、通電されたときに、第１の光源２２２の第１の色とは異なる第２の色（例えば白色、例えばバックアップ機能のために）を放射する第２の光源２２３を含み、第２の光源２２３は、通電されたときに、第１主表面２１３から見たときに、第２区域２１６に同じ色を提供するように選択され、かつ配置されて、光学キャビティ２３０内へ光を導入する。
【００５９】
任意に、ライトアセンブリ２１０は、通電されたときに、通電されたときの第１の光源と同じではあるが、より明るい色を放射する第３の光源２２４を含み、この第３の光源２２４は通電されたときに、外側カバー２１２の第１主表面２１３から見たときに、第１の光源の強度よりも明るい光強度を提供するように選択され、配置されて、光学キャビティ内へ光を導入する。
【００６０】
任意に、ライトアセンブリ２１０は、通電されたときに、第１の光源２２２の第１の色、第２の光源２２３の第２の色、及び存在する場合は、第３の光源２２４の第３の色とは異なる第４の色（例えば琥珀色、例えば旋回機能のために）を放射する第４の光源２２５を含み、第４の光源２２５は、通電されたときに、外側カバーの第１主表面から見たときに、第１の光源２２２の第１の色、第２の光源２２３の第２の色、及び存在する場合は、第３の光源の第３の色とは異なる色を提供するように選択され、かつ配置されて光学キャビティ内へ光を導入する。
【００６１】
図１７、１７Ａ及び１７Ｂを参照すると、本開示の代表的なライトアセンブリが示されている。自動車のテールライトアセンブリ２１１０は、第１及び第２の概ね対向する主表面２１１３、２１１４、並びに第１の色（例えば赤色）を有する第１区域２１１５、及び第２の異なる色（例えば透明若しくは白色）を有する第２区域２１１６を備える、（任意に湾曲している）外側ライトカバー２１１２を有する。車両のテールライトアセンブリ２１１０は、内側主表面２１１８を有する反射体２１１７と、外側ライトカバー２１１２と反射体２１１７との間に配置された半透過性物品１０（更なる詳細に関しては図１を参照）（これは内側レンズとして機能する）であって、第１主表面２１２０、第２主表面２１２１の少なくとも１つはアン透過型である、半透過性物品１０と、通電されたときに、第１の色（例えば赤色）を放射する第１の光源２１２２と、を更に含む。内側レンズの主表面２１２１と、反射体の主表面２１１８との間には光学キャビティ２１３０がある。第１の光源２１２２（例えば赤色、例えば、走行用ライト及び／又は駐車用ライトの機能のために）は、通電されときに、第１の主表面２１１３から見たときに、第１区域２１１５及び第２区域２１１６に同じ色を提供するように選択され、かつ配置されて、光学キャビティ２１３０内へ光を導入する。いくつかの実施形態では、外側ライトカバーは湾曲している。
【００６２】
任意に、ライトアセンブリ２１１０は、通電されたときに、第１の光源２１２２の第１の色とは異なる第２の色（例えば白色、例えばバックアップ機能のために）を放射する第２の光源２１２３を含み、第２の光源２１２３は、通電されたときに、第１主表面２１１３から見たときに、第２区域２１１６に同じ色を提供するように選択され、かつ配置されて、光学キャビティ２１３０内へ光を導入する。
【００６３】
任意に、ライトアセンブリ２１１０は、通電されたときに、通電されたときの第１の光源と同じではあるが、より明るい色を放射する第３の光源２１２４を含み、この第３の光源２１２４は通電されたときに、外側カバー２１１２の第１主表面２１１３から見たときに、第１の光源の強度よりも明るい光強度を提供するように選択され、配置されて、光学キャビティ内へ光を導入する。
【００６４】
任意に、ライトアセンブリ２１１０は、通電されたときに、第１の光源２１２２の第１の色、第２の光源２１２３の第２の色、及び存在する場合は、第３の光源２１２４の第３の色とは異なる第４の色（例えば琥珀色、例えば旋回機能のために）を放射する第４の光源２１２５を含み、第４の光源２１２５は、通電されたときに、外側カバーの第１主表面から見たときに、第１の光源２１２２の第１の色、第２の光源２１２３の第２の色、及び存在する場合は、第３の光源の第３の色とは異なる色を提供するように選択され、かつ配置されて光学キャビティ内へ光を導入する。
【００６５】
いくつかの実施形態では、ライトアセンブリは１：１、２：１、３：１、５：１、１０：１、１５：１、２０：１、２５：１、５０：１、７５：１、又は更には８０：１より大きい深さに対する長さの比を有する。ライトアセンブリの深さに対する長さの比は、ライトアセンブリの長さ及び深さから算出されるということが理解される。長さは、外側カバーの最長寸法の測定によって決定される。例えば、図１２において、最長寸法は、外側カバーの一端から屈曲部を回ってもう一方の端まで測定することによって見出される。図１３では、最長寸法は「７」の基底部から上部の右側又は左側のいずれか長い側までの寸法である。深さは、ライトアセンブリの１つ以上の断面を取り、外側カバーの内側表面から反射体の内側表面の最も近い点までを測定することによって決定される。深さは、そのような測定の最大測定値である。更に、例えば、図１６、１６Ａ、及び１６Ｂにおいて、最長寸法は、外側カバーの一端から屈曲部を回ってもう一方の端まで測定することによって見出される。深さは、ライトアセンブリの１つ以上の断面を取り、外側カバーの内側表面から反射体の内側表面の最も近い点までを測定することによって決定される。深さは、そのような測定の最大測定値である。
【００６６】
外側ライトカバーは当該技術分野において既知であり、典型的には、例えば射出成形、熱成形などによって作製可能なプラスチック又は他の半透明材料を含み、半透明とは、所望の波長の光の大半が透過されることを意味する。例えば、車両テールライトでは、ポリメチルメタクリレート又はポリカーボネートのような赤色のプラスチックを使用して、そのような用途のためのＳＡＥ  Ｊ５７８規定の波長を透過する。
【００６７】
外側カバーの所望の厚さ及び／又は形は用途によって決まる。典型的には、剛性外側カバーの厚さは、約０．５ｍｍ〜約１０ｍｍの範囲であるが、他の厚さもまた有用である。外側カバーの形は、当該技術分野で既知のものを含む様々な形のどれであってもよい。外側カバーの形は、典型的には、美観又は機能的理由によって選択される。
【００６８】
反射体を有するライトアセンブリのいくつかの実施形態では、半透過性表面は、反射体の内側主表面に対して凸状である。本明細書に記載のライトアセンブリのいくつかの実施形態では、反射体の主表面は、この半透過性表面の面積の少なくとも３０％（いくつかの実施形態では少なくとも３５、４０、４５、５０、５５、６０、６５、７０、７５、８０、８５％、又は更には少なくとも９０％）に対して実質的に平行である。
【００６９】
反射体と外側ライトカバーを有するライトアセンブリのいくつかの実施形態では、外側ライトカバーは内側主表面を更に含み、外側ライトカバーの内側主表面の面積の少なくとも３０％（いくつかの実施形態では、少なくとも３５、４０、４５、５０、５５、６０、６５、７０、７５、８０、８５、又は更には９０％）が、半透過性表面（例えば図７Ａ、８、８Ａ、９、１０、及び１１）の湾曲部分である。
【００７０】
適切な反射体は、当該技術分野で周知である。反射体の反射性は、例えば、基材材料（例えば研磨されたアルミニウム）の元来の特性、基材材料上のコーティング（蒸着コーティング）（例えば銀又は多層光学コーティング）、又は基材に付着された反射性フィルムである。典型的には、反射体はライトアセンブリのための強化された光出力効率のための高反射性表面を有することが望ましい。典型的には、反射体の反射面の可視光の反射率は少なくとも８０％（いくつかの実施形態では８５％、９０％、９１％、９２％、９３％、９４％、９５％、９６％、９７％、９８％、９９％又はそれ以上）である。反射体は、空間的に均一又はパターン付きであるにかかわらず、主として鏡面反射体、拡散反射体、又は鏡面／拡散反射体の組み合わせであり得る。いくつかの実施形態では、反射体は少なくとも部分的に（例えば少なくとも１０％、１５％、２０％、２５％、３０％、３５％、４０％、４５％、５０％、５５％、６０％、６５％、７０％、７５％、８０％、８５％、９０％、９５％、又は更には１００％）半鏡面反射性である。いくつかの実施形態では、反射体の主表面は少なくとも９０、９１、９２、９３、９４、９５、９６、９７、９８、又は更には少なくとも９８．５）パーセントのスペクトル反射率を有する。
【００７１】
好適な反射フィルムとしては、３Ｍ  Ｃｏｍｐａｎｙ（Ｓｔ．Ｐａｕｌ，ＭＮ）から商品名「ＶＩＫＵＩＴＩ  ＥＮＨＡＮＣＥＤ  ＳＰＥＣＵＬＡＲ  ＲＥＦＬＥＣＴＯＲ」で入手可能なものが挙げられる。他の代表的な反射フィルムは硫酸バリウム配合ポリエチレンレフタレートフィルム（厚さ０．０８ｍｍ（２ミル））を、３Ｍ  Ｃｏｍｐａｎｙから商品名「ＶＩＫＵＩＴＩ  ＥＮＨＡＮＣＥＤ  ＳＰＥＣＵＬＡＲ  ＲＥＦＬＥＣＴＯＲ」で入手可能なフィルムに、厚さ０．１６ｍｍ（０．４ミル）のアクリル酸イソオクチルアクリル酸感圧性接着剤を使用して積層することによって製造される。他の好適な反射フィルムには、東レ株式会社（Ｔｏｒａｙ  Ｉｎｄｕｓｔｒｉｅｓ，Ｉｎｃ．）（日本、浦安）から商品名「Ｅ−６０シリーズＬｕｍｉｒｒｏｒ」で入手可能なもの、Ｗ．Ｌ．Ｇｏｒｅ  ＆  Ａｓｓｏｃｉａｔｅｓ，Ｉｎｃ（Ｎｅｗａｒｋ，ＤＥ）からの多孔質ポリテトラフルオロエチレン（ＰＴＦＥ）フィルム、商品名「ＳＰＥＣＴＲＡＬＯＮ  ＲＥＦＬＥＣＴＡＮＣＥ  ＭＡＴＥＲＩＡＬ」でＬａｂｓｐｈｅｒｅ，Ｉｎｃ．（Ｎｏｒｔｈ  Ｓｕｔｔｏｎ，ＮＨ）から入手可能なもの、Ａｌａｎｏｄ  Ａｌｕｍｉｎｕｍ−Ｖｅｒｄｕｎ  ＧｍｂＨ  ＆  Ｃｏ．（Ｅｎｎｅｐｅｔａｌ，Ｇｅｒｍａｎｙ，）から商品名「ＭＩＲＯ  ＡＮＯＤＩＺＥＤ  ＡＬＵＭＩＮＵＭ  ＦＩＬＭＳ」で入手可能なもの（商品名「ＭＩＲＯ  ２  ＦＩＬＭ」で入手可能なものを含む）、古河電気工業株式会社（日本、東京）から商品名「ＭＣＰＥＴ  ＨＩＧＨ  ＲＥＦＬＥＣＴＩＶＩＴＹ  ＦＯＡＭＥＤ  ＳＨＥＥＴＩＮＧ」で入手可能なもの、Ｍｉｔｓｕｉ  Ｃｈｅｍｉｃａｌｓ，Ｉｎｃ．（日本、東京）から商品名「ＷＨＩＴＥ  ＲＥＦＳＴＡＲ  ＦＩＬＭＳ」及び「ＭＴ  ＦＩＬＭＳ」で入手可能なものが挙げられる。
【００７２】
反射体は、実質的に滑らかであっても、あるいは光の散乱や混合を高めるように結合された構造化表面を有していてもよい。このような構造化表面は、（ａ）反射体の反射表面上、又は（ｂ）反射表面に塗布された透明なコーティング上に塗布することができる。前者の場合、構造化面が予め形成された基材に高反射フィルムが積層されてもよく、又は、平坦基材（例えば３Ｍ  Ｃｏｍｐａｎｙから「ＶＩＫＵＩＴＩ  ＤＵＲＡＢＬＥ  ＥＮＨＡＮＣＥＤ  ＳＰＥＣＵＬＡＲ  ＲＥＦＬＥＣＴＯＲ−ＭＥＴＡＬ（ＤＥＳＲ−Ｍ）ＲＥＦＬＥＣＴＯＲ」の商品名で入手可能なもの）に高反射フィルムが積層されてもよく、その後で型打抜き操作などにより構造化面が形成されてもよい。後者の場合、構造化表面を有する透明なフィルムを平坦な反射面に積層することもでき、又は、透明なフィルムを反射体に塗布した後に透明なフィルムの最上部に構造化表面を与えることもできる。
【００７３】
反射体はまた、反射性フィルム（例えば３Ｍ  Ｃｏｍｐａｎｙから商品名「ＶＩＫＵＩＴＩ  ＥＮＨＡＮＣＥＤ  ＳＰＥＣＵＬＡＲ  ＲＥＦＬＥＣＴＯＲ」で入手可能）から実質的に作製されてもよい。後者のフィルムは熱成形可能であり、高い鏡面反射率を呈する多層高分子フィルム構造体を含む、ポリメチルメタクリレートのスキンの存在によるためであると考えられる、強化されたＵＶ安定性を有する。このフィルムを使用して、ライトアセンブリに好適な反射体の形を熱成形することができる。このポリマーフィルムを、例えば予め形成したハウジング内の挿入物として、又は独立したハウジング構成要素として、使用することができる。
【００７４】
あるいは、例えば、ポリメチルメタクリレートと比較して改善された機械強度を提供する異なるポリマーからスキンの１つが作製されるように、構成体を修正することができる。例えば、ポリカーボネート、又はアクリロニトリルブタジエンスチレン／ポリカーボネートのポリマー配合物を使用して、第２のスキンを形成してもよい。第２のスキンは透明でなくてもよい。次いで、その反射面がライトアセンブリの内部に面するような向きにして、第２のスキンが外面として機能するように、このフィルムを所望の反射体の形に熱成形することができる。この熱成形された部品は、独立したハウジング構成要素として使用することができる。
【００７５】
反射体は、光源が取り付けられた連続単一（かつ分断されていない）層でもよいし、個別部分で不連続的に構成されてもよいし、光源が通ることができる孤立した開口部を有する限り、別の形の連続層で不連続的に構成されてもよい。例えば、反射材料のストリップが、ＬＥＤの列が取り付けられた基材に貼り付けられ、各ストリップが、あるＬＥＤ列から別のＬＥＤ列まで延在するのに十分な幅を有し、バックライトの出力エリアの対向する境界間にわたるのに十分な長さ寸法を有してもよい。
【００７６】
所望により、反射体は異なる反射率の領域を含んでもよい。例えば、反射体は光源の近くで全ての波長に対して高い反射率を有するが、光源から遠くでは赤色、緑色、又は青色のような主に１色を反射してもよい（例えば、光源が１つだけの多色ライトアセンブリ）。異なる反射率の領域間を徐々に遷移してもよい。
【００７７】
反射体は、光の損失を減らしリサイクリング効率を向上するために、好ましくはライニングされるか又は他の方法で高い反射率の垂直の壁を提供される反射体の外側境界に沿った側部及び端部もまた含む。これらの壁の形成には、反射体表面に使用するのと同じ反射材を使用しても、あるいは異なる反射材を使用してもよい。代表的な実施形態では、側壁は鏡面反射性である。
【００７８】
いくつかの実施形態では、反射体の内側主表面は、湾曲した外側ライトカバーの内側主表面の少なくとも４０、４５、５０、５５、６０、６５、７０、７５、８０、８５％、又は更には少なくとも９０％に対して平行である。
【００７９】
いくつかの実施形態では、ライトアセンブリの両側から光が透過されるのが望ましい場合がある。例えば、反射体の少なくとも一部分（例えば少なくとも１％、２％、５％、１０％、２０％、５０％、７５％、又は場合によっては少なくとも９０％）は、上述のような半透過性表面を含むことができる。
【００８０】
反射体を有するライトアセンブリのいくつかの実施形態では、反射体の少なくとも一部分も半透過性である。
【００８１】
本明細書に記載されるライトアセンブリのいくつかの実施形態では、反射体の内側主表面の面積の少なくとも５０、５５、６０、６５、７０、７５、８０、８５、９０、９５、９９、又は更には１００パーセントが半透過性である。例えば美観的、表面的、又は機能的な理由のために、半透過性でない面積は反射性であっても吸収性であってもよい。
【００８２】
反射体を有するライトアセンブリのいくつかの実施形態では、反射体は第１及び第２の反射性の領域を含み、第１の反射性の領域は第２の反射性の領域より第１の波長の光に対してより反射性であり、第２の反射性の領域は第１の反射性の領域より第２の異なる波長の光に対してより反射性である。
【００８３】
いくつかの実施形態では、反射体の内側表面は第１の構造体群を有する第１領域、及び異なる第２の構造体群を有する第２領域を含む。
【００８４】
反射体を有するライトアセンブリのいくつかの実施形態では、反射体は、少なくとも部分的に鏡面反射性であり、及び／又は少なくとも部分的に半鏡面反射性である。いくつかの実施形態では、外側ライトカバーの内側主表面は、少なくとも部分的に鏡面反射性であり、及び／又は少なくとも部分的に半鏡面反射性である。
【００８５】
反射体を有するライトアセンブリのいくつかの実施形態は、外側カバーと、反射体の内側主表面（光学キャビティにおいて）との間に配置された拡散体を更に備える。
【００８６】
滑らかな部分反射体は、局所的な形状を実質的に変えることなく表面の反射特性を変更することによってそれらの機能性を得る、型式の半透過性表面である。例えば、表面は、少量の金属（例えばアルミニウム）を表面にスパッタリングすることによって得られる。金属層の厚さが増すにつれ、反射率はフレネル方程式によって計算されるものから、その金属の理論上の最大の反射率に向かって変化する。両極端であるこれらの間に部分反射の領域がある。
【００８７】
滑らかな部分反射体の例としては、例えば銀（例えば、Ａｌａｎｏｄ  Ｗｅｓｔｌａｋｅ  Ｍｅｔａｌ  Ｉｎｄ．（Ｎｏｒｔｈ  Ｒｉｄｇｅｖｉｌｌｅ，ＯＨ）より商品名「ＭＩＲＯ−ＳＩＬＶＥＲ」で入手可能）及びインジウム鈴酸化物（例えばＴｅｃｈｐｌａｓｔ  Ｃｏａｔｅｄ  Ｐｒｏｄｕｃｔｓ，Ｉｎｃ．（Ｂａｌｄｗｉｎ，ＮＹ）より入手可能）のような金属／絶縁体スタック、偏光及び非偏光多層光学フィルム（例えば３Ｍ  Ｃｏｍｐａｎｙ（Ｓｔ．Ｐａｕｌ，ＭＮ）から商品名「ＶＩＫＵＩＴＩ  ＤＵＡＬ  ＢＲＩＧＨＴＮＥＳＳ  ＥＮＨＡＮＣＥＭＥＮＴ  ＦＩＬＭ」で入手可能）、偏光及び非偏光ポリマーブレンド（例えば、３Ｍ  Ｃｏｍｐａｎｙより商品名「ＶＩＫＵＩＴＩ  ＤＩＦＦＵＳＥ  ＲＥＦＬＥＣＴＩＶＥ  ＰＯＬＡＲＩＺＥＲ  ＦＩＬＭ」で入手可能）、ワイヤグリッド偏光子（例えばＭｏｘｔｅｋ，Ｉｎｃ．（Ｏｒｅｍ，ＵＴ）より入手可能）、並びに非対称光学フィルム（例えば、参照により本明細書に組み込まれる米国特許第６，９２４，０１４号（Ｏｕｄｅｒｋｉｒｋら）及び２００７年５月２０日付で出願されたシリアル番号第６０／９３９，０８４号を有する米国特許出願（代理人整理番号第６３０３１ＵＳ００２号）、及びＰＣＴ特許出願第ＵＳ２００８／０６４１３３号（代理人整理番号第６３２７４ＷＯ００４号）が含まれ、これらの開示は参照により本明細書に組み込まれる）。また、穿孔のある部分反射体又は鏡も部分反射体として有用である（例えば上記のような偏光の少なくとも９８％の軸上平均反射率を有する穿孔鏡面反射フィルム（例えば、３Ｍ  Ｃｏｍｐａｎｙが商品名「ＶＩＫＵＩＴＩ  ＥＮＨＡＮＣＥＤ  ＳＰＥＣＵＬＡＲ  ＲＥＦＬＥＣＴＯＲ  ＦＩＬＭ」で市販しているもの）。部分反射体は、例えば、その上に光の散乱領域のパターンを有する鏡又は部分鏡であってもよい。交差偏光を部分反射体として使用してもよい。交差角を使用して、透過対反射の比率を調整することができる。また、発泡体、空隙構造体、又は二酸化チタン（ＴｉＯ２）のような無機微粒子を充填したポリマーを使用してもよい。
【００８８】
所望により、特定の領域にかけて中空のキャビティから光を優先的に抽出して、このガイドされた光のいくらかをライトガイドから出してバックライトの出力エリアに向けて方向付けるために、光抽出機構は背面反射体上に存在してもよい。機構は均等な間隔に置かれても不均等な間隔に置かれてもよい。例えば、反射体の内側表面は、第１の光抽出機構の群を有する第１領域と、異なる第２の光抽出機構の群を有する第２の領域と、を含む。所望により、反射体の内側表面は光抽出機構の反復パターンを含む。
【００８９】
グラジエントの抽出は、光抽出の量を局所的に増加させる、又は減少させるいずれかの素子によって達成することができる。内側反射体は一般に、ある程度の角度選択性透過率を有するので、更に高い透過率の角度範囲内への追加的な光を逸脱させる抽出素子は、その領域における輝度を増加させる。抽出区域は概ね垂直に向かっているが、斜角であるように設計されてもよい。抽出素子に使用される材料は、鏡面、半鏡面若しくは拡散性、半透明、半透過性、屈折性、回折性等であってもよい。屈折素子は、プリズム、小型レンズ、水晶体等であってもよい。抽出素子は、印刷、鋳造、コーティング（接着性裏材付きの点）、積層等によって適用されてもよい。抽出素子は、エンボス加工、ピーニング、ひだつき、研磨、又はエッチングなど、反射表面に局所的な偏差によっても作製することができる。
【００９０】
所望のグラジエントの達成は、例えば、局所的又は徐々に表面積にわたる拡散性コーティングの光再方向性を変えることによって実現し得る。これは、例えば、厚さ、組成物、又は表面特性によって達成することができる。例えば背面反射体の上に置かれる穿孔のグラジエントを有する拡散性フィルムなど、穿孔はもう１つの選択肢であろう。
【００９１】
このグラジエントは単調なやり方で滑らかに変化してもよい。正反射の後平面上の拡散反射体の１つの円形パッチの場合などは急にして、明るい中心を作製してもよい。
【００９２】
本明細書に記載されるライトアセンブリのいくつかの実施形態では、反射体の内側表面は、第１の光抽出機構の群を有する第１領域を含み、第１の光源は、第１の光抽出機構の群内に少なくとも部分的に配置される。
【００９３】
代表的な光源としては、白熱灯、発光ダイオード（「ＬＥＤ」）、及びアークランプのような当該技術分野で既知の光源が挙げられる。それらは任意の所望の出力パターンを有してもよく、所望の色を発してもよく、後にフィルタされる広帯域源として作用してもよい。ライトアセンブリは１つ以上（例えば２つ、３つ、４つ、５つ、６つ、７つ、８つ、９つ、又は１０以上）の光源（例えば１つ、２つ、３つ、４つ、５つなどの白熱灯、ハロゲン灯及び／又はＬＥＤなど）を有してもよい。
【００９４】
光源は、任意の側壁を含む、反射体の壁の穴又は窓、光学キャビティの内部、又は部分的に内部を通して導入するように位置付けることができる。
【００９５】
いくつかの実施形態では、制限された又は部分的にコリメートされた角分布と共に囲いの中に発光されるように、ウェッジ形の反射体と共にＬＥＤを使用してもよい。更に、いくつかの実施形態では、放射光を少なくとも部分的に平行にする光源が好ましいことがある。そのような光源は、その囲いの中に所望の出力を提供するために光学素子のレンズ、エキストラクタ、成形封入材、又はこれらの組み合わせを含むことができる。更に、ライティング出力源は、横平面（横平面はライティング出力源の出力エリアに平行である）に近い方向に伝搬するために、囲いの中に最初に入射された光を部分的にコリメート又は封入する注入光学を含むことができる（例えば、０度〜４５度、又は０度〜３０度、又は更には０度〜１５度の範囲の横平面からの平均偏位角を有する注入光線）。
【００９６】
所望により、光源はキャビティ内部に少なくとも部分的にライトガイド（例えば光ファイバー）を含み、光ファイバーはコアと、コアの周囲でコアの屈折率より低い屈折率を有するクラッドとを備え、光ファイバーは、クラッドの少なくとも内周上に共押出成形によって形成された光拡散性及び反射性の部分を有する。所望により、拡散性及び反射性の部分はコアと接触する。所望により、光拡散性及び反射性の部分は、クラッドから長手方向に対して垂直の方向に少なくともクラッドの外周の近くまで延びる厚さを有することができる。所望により、光拡散性及び反射性の部分は、クラッドの内周表面からクラッドの長手方向に対して垂直の方向にコア部分まで延びる既定の厚さで形成される。所望により、拡散性及び反射性の部分はコアの内部まで延びる。所望により、拡散性及び反射性の部分はクラッドの長手方向に沿って線形に又は帯状の形に形成される。
【００９７】
所望により、光ファイバーは単一材料（ライドガイド）であってもよく、光を抽出する光抽出構造体（光学素子）を組み込んでもよい。ほぼ均一な出力照明をファイバーの発光領域に沿って維持するために、連続する光学素子の形態学、パターン、及び間隔は、先行する素子によってファイバーの外へ反射された光を補正するために制御され得る。例えば、連続する光学素子の反射面の断面積は、意図される光の移動方向において増すことができる。あるいは、連続する光学素子の間の間隔が減少してもよく、反射面の角度が変化してもよく、又はこれらの方法の任意の又は全ての組み合わせを使用してもよい。
【００９８】
より広い角度でより多くの光を提供するために、１つより多くの光学素子の列（軸）を組み込んでもよい。最小角偏位δは０度よりわずかに大きく、この場合、軸はほぼ完全に一致し、最大角偏位δは１８０度であることは、当業者には明白であろう。実際には、第１の長手方向軸と第２の長手方向軸との間の偏位δは、機能的考察によって主に定められる。より具体的には、角偏位δは、横（例えばファイバーを横切る方向）寸法に反射される光の発散の円錐の望ましい角度の開きによって決定され、当業者に既知の光学モデリング技法を用いて決定され得る。光ファイバーを用いて広い領域を照らす多くの用途では、発現する光を広い角度分布に広げるために、最高１００度までの角偏位が有用である。これと対照的に、例えば車両警告灯のように光ファイバーが直接視認される用途では、発現する光の角度分布の横寸法を狭めて光を所望の角度範囲内に集中することが望ましい場合がある。そのような用途では、約５度〜２０度の間の角偏位が有用である。
【００９９】
複数の光源が単一の光学キャビティで使用されるとき、光の混合が発生する。それぞれ個々の区域の放射された光の色は、例えば、光源の空隙部、光源の強度、光源の色、外側ライトカバー、並びに／又は反射体と外側ライトカバー及び／若しくは内側レンズとの間の空隙部によって調整され得る。
【０１００】
光ファイバーの表面に沿って延びる明確に区別できる長手方向軸の周囲に光学素子を配置することに伴う別の利益は、ファイバーの陰影効果に関係する。陰影効果については下記に詳しく説明する。端的に述べると、光ファイバーのそれぞれの光学素子は、光ファイバーを通って伝搬する光線の一部分から隣接する光学素子に陰影を作る。陰影の程度は、光学阻止が光ファイバー内に延出する深さに比例する。光ファイバーの表面上の２つの明確に区別される長手方向軸の周囲に配置された光学素子の提供は、単軸の実施形態で要求されるようなより深い光学素子を使用せずにより広いビームの開きの円錐へと光が広がることを可能にすることによって、陰影に伴う悪影響を低減する。加えて、光学素子は互いから偏位されるので、陰影効果は光ファイバーの周囲でより均等に広がり、それらの影響を目立たなくする。
【０１０１】
いくつかの実施形態では、縦（ｙ）方向には比較的狭い範囲内に制限されるが横（ｘ）方向にはおよそ均一な明度を提供するｘ−ｚ平面に照明パターンを生成することが望ましい。例えば、横方向の光の明度は＋／−４５度にかけておよそ均一であることが望ましい場合がある。一連の均一に構成された光抽出構造体（光学素子）を有する照明装置が、そのような明度のパターンを与えることがないであろう。しかし、異なる構成を有する一連の光抽出構造体を提供することによって、異なる様々な明度のパターンが生成され得る。例えば、いくつかの異なるノッチ角度を有する複数の光抽出構造体を提供することによって、所与の用途に合わせて明度のパターンを作ることができる。すなわち、ノッチ角度は、所望の照明パターンを生成するために変化させることが可能な可調節パラメータとなり得る。光ファイバーに関する追加的な詳細は、米国特許第６，５６３，９９３号（Ｉｍａｍｕｒａら）を参照のこと。
【０１０２】
いくつかの実施形態では、光源は反射体の穴を通して配置される。例えば、外側カバーの内側表面に対して平行な反射体の部分を通して、側部又は端部を通して、又は反射体と外側ライトカバーとの間の分離が減少している反射体の側又は端部を通して、それらを配置することができる。
【０１０３】
いくつかの実施形態では、湾曲した外側ライトカバーの外側主表面の少なくとも１０％（いくつかの実施形態では、少なくとも１５％、２０％、２５％、３０％、３５％、４０％、４５％、５０％、５５％、６０％、６５％、７０％、７５％、８０％、８５％、又は更には少なくとも９０％）が再帰反射性である。
【０１０４】
２０°〜３０°の範囲の光抽出円錐を有するＬＥＤ及びランバート型発光パターンを有するＬＥＤを含めて、好適な発光ダイオードは当該技術分野において既知であり、市販されており入手可能である。ＬＥＤは、１つのＬＥＤ当たり０．１ワット未満〜１０ワット（例えば、０．１ワット、０．２５ワット、０．５ワット、０．７５ワット、１ワット、２．５ワット、５ワット、更に１０ワットに至る電力消費定格）の範囲に及ぶものを含めて、様々な電力消費定格で利用可能である。ＬＥＤは、例えば紫外線（約４００ｎｍ未満）から赤外線（７００ｎｍを超える）に及ぶ範囲の色で利用可能である。ＬＥＤの基本色は青色、緑色、赤色、及び琥珀色であるが、基本色を混合すること又はリンを加えることによって白色のような他の色もまた得ることが可能である。
【０１０５】
いくつかの実施形態において、望ましくは通常、発光ダイオードは給電されたとき均一な光束発散度を有する。光束発散度は、単位面積あたりのルーメンでの発光量を指す。必要とされる均一性の程度は用途によって異なる。ＬＣＤは、ＶＥＳＡ−２００１−６に規定されているように、８０％を超える均一性を概ね必要とする。看板及び車両ライトのようなその他の用途はさほど明確な均一性の定義を有さないが、最も明るいポイントから最も暗いポイントまでの合計変化は知覚可能であってはならず、また、光束発散度に、明白なほど大きいいかなる局所的なグラジエントもあってはならない。本明細書に記載のライトアセンブリは、１００ｃｍ２当たり最高５つの発光ダイオードを有する。
【０１０６】
いくつかの実施形態で、本明細書に記載したライトアセンブリは最高１５ワット、１０ワット、又は、更には最高５ワットまでの合計電力消費を有する。
【０１０７】
いくつかの実施形態（例えば車両部品）では、粉塵及び／又は水分の侵入に対してライトアセンブリ（例えば光学キャビティ）が密封されることが望ましい。
【０１０８】
所望により、ライティングアセンブリ（ライトアセンブリ）は、半透過性表面と反射体との間に配置された色付きの透過型素子（例えばフィルム）（すなわち、その素子に当たる光（例えば可視スペクトル）の少なくとも１波長に対して少なくとも２０％（所望により、少なくとも２５％、３０％、３５％、４０％、４５％、５０％、５５％、６０％、７０％、７５％、８０％、８５％、又は更には少なくとも９０％）の光子がその素子を透過して出て行く）を更に備える。透明な色付き素子は、例えば、外側ライトの内側主表面と反射体との間、第１のライトと外側ライトの内側主表面との間、及び／又は第１の光源と反射体との間にあってよい。いくつかの実施形態では、透明な色付き素子は、光学キャビティに、及び／又は内側レンズと外側カバーとの間にされて、第１の色の第１区域、及び第２の異なる色の第２区域を提供することができる。例えば、図１１を参照して、例示のライトアセンブリ１１００は、湾曲した外側ライトカバー１１０２と、内側主表面１１０７を有する反射体１１０６と、発光ダイオード１１０８と、透明な色付き素子１１１１と、ゾーン１１０９、１１１０と、を有する。半透過性物品１０１０４は、外側ライトカバー１１０２の内側主表面１１０３に取り付けられる。
【０１０９】
１つ以上の色の透明な色付き素子を使用してもよい。好適なフィルムは当該技術分野で既知であり、色付き（例えば染色又は着色された）フィルム及びカラーシフトフィルムを含む。透過型色付きフィルム及びカラーシフトフィルムは、例えば、「ＳＣＯＴＣＨＣＡＬ  ３６３０」の商品名で約６０色の異なる色で３Ｍ  Ｃｏｍｐａｎｙから入手可能である。
【０１１０】
本明細書で用いられる「カラーシフトフィルム」は、少なくとも１つの第１層タイプと第２層タイプとの交互積層の層を含むフィルムを指し、第１層タイプは、ひずみ硬化ポリマー（例えばポリエステル）を備え、そのフィルムは、スペクトルの可視領域内に少なくとも１つの透過帯域と１つの反射帯域を有し、透過帯域は、少なくとも７０％の平均透過率を有し、透過帯域と反射帯域の少なくとも一方は、垂直入射にて、１平方インチ（６．４５ｃｍ２）に対して約２５ｎｍ未満で変動する。所望により、そのフィルムは、少なくとも一つの第１層タイプと第２層タイプとの交互積層の高分子層を含み、そのフィルムは、スペクトルの可視領域内に少なくとも一つの透過帯域及び少なくとも一つの反射帯域を有し、透過帯域及び反射帯域の少なくとも一方は、垂直入射にて、フィルムの平面内の１つの直交軸の各々に沿って少なくとも２インチ（５．１ｃｍ）の距離にわたって８ｎｍ以下で変動するバンド端を有する。所望により、透過帯域と反射帯域の少なくとも一方は、垂直入射にて、少なくとも１０ｃｍ２の表面積に対して２ｎｍ以下で変動する帯域幅を有する。所望により、そのフィルムは、スペクトルの可視領域において厳密に１つの透過帯域を有する。所望により、そのフィルムは、スペクトルの可視領域において厳密に１つの反射帯域を有する。カラーシフトフィルムは、例えば、その開示内容が参照によって本明細書に組み込まれる米国特許第６，５３１，２３０号（Ｗｅｂｅｒら）に記載されているように作ることができ、そのようなフィルムに関する更なる詳細もまた前述の特許に見出すことができる。
【０１１１】
いくつかの実施形態では、半鏡面素子をキャビティ内に配置してもよい（例えば、湾曲した外側ライトの内側主表面と反射体との間、第１のライトと湾曲した外側ライトの内側主表面との間、及び／又は第１の光源と反射体との間（すなわち、図１１に関して上述した透明な色付き素子と同様）。
【０１１２】
所望により、ライトアセンブリは、例えば光源からの光の輝度及び／又は色を検出及び制御するために、光センサ及びフィードバックシステムを含むことができる。例えば、輝度及び／又は色を制御、維持、及び／又は調整するために、光源の近くにセンサを位置付けて、出力のモニタリングをし、フィードバックを提供することができる。例えば、縁に沿って及び／又はキャビティ内にセンサを位置付けて、混合光をサンプリングすることは有益であり得る。場合によっては、例えば、日中であれ夜間であれ、観察環境（例えばディスプレイがある部屋又は自動車のテールライト）における周囲光を検出するためにセンサを提供することは有益であり得る。例えば、光源の出力を周囲の観察条件に基づいて調整するために制御ロジックを使用することができる。好適なセンサは当該技術分野で既知であり（例えば光対周波数センサ又は光対電圧センサ）、例えばＴｅｘａｓ  Ａｄｖａｎｃｅｄ  Ｏｐｔｏｅｌｅｃｔｒｏｎｉｃ  Ｓｏｌｕｔｉｏｎｓ（Ｐｌａｎｏ，ＴＸ）から市販されており入手可能である。加えて、あるいは代わりに、熱センサを使用して光源の出力をモニタリング又は制御してもよい。これらのセンサ技術は、例えば、動作条件及びコンポーネントの経時的変化に対する補正に基づく、光出力の調節に使用することができる。
【０１１３】
所望により、光学キャビティの一部分の内部も含め、ライトアセンブリは、追加的な支援機能（例えばロッドなど）を更に備える。
【０１１４】
代表的な実施形態
１．半透過性物品であって、
内部に複数の開口部を有する主表面を有する第１層と、
主要半透過性表面を有する第２層と、を備える、半透過性物品。
【０１１５】
２．主要半透過性表面は、第１層の開口部と反対側に面し、実施形態１に記載の半透過性物品。
【０１１６】
３．主要半透過性表面は、第１層の開口部に面する、実施形態１に記載の半透過性物品。
【０１１７】
４．少なくとも１つの可視光吸収領域を有する主表面を有する第３層を更に備える、実施形態１〜３のいずれかに１つに記載の半透過性物品。
【０１１８】
５．複数の可視光吸収領域を有する主表面を有する第３層を更に備える、実施形態１〜３のいずれかに１つに記載の半透過性物品。
【０１１９】
６．可視光吸収領域の少なくとも一部分は印刷されている、実施形態４又は５のいずれかに記載の半透過性物品。
【０１２０】
７．半透過性表面は、少なくとも１つの可視光吸収領域を有する第３層の主表面に面し、実施形態実施形態４〜６のいずれかに１つに記載の半透過性物品。
【０１２１】
８．第１、第２、及び第３層はこの順序で連続している、実施形態４〜７のいずれか１つに記載の半透過性物品。
【０１２２】
９．第３層は第１層と第２層との間である、実施形態４又は７のいずれか１つに記載の半透過性物品。
【０１２３】
１０．主要半透過性表面の少なくとも一部分は湾曲している、実施形態１〜９のいずれか１つに記載の半透過性物品。
【０１２４】
１１．第１層は、可視光に対して光学的に透明である材料から作製される、実施形態１〜１０のいずれか１つに記載の半透過性物品。
【０１２５】
１２．第１層は、可視光に対して不透明である材料から作製される、実施形態１〜１１のいずれか１つに記載の半透過性物品。
【０１２６】
１３．第１層の開口部は規則的なパターンを有する、実施形態１〜１２のいずれか１つに記載の半透過性物品。
【０１２７】
１４．第１層の開口部はグラジエントなパターンを有する、実施形態１〜１２のいずれか１つに記載の半透過性物品。
【０１２８】
１５．第１層の開口部は、以下の形状：円形、楕円形、実線、三角形、正方形、矩形、五角形、又は他の多角形の少なくとも１つを有する、実施形態１〜１４のいずれか１つに記載の半透過性物品。
【０１２９】
１６．第１層の開口部は英数字又は商標の印の少なくとも１つの形状を有する、実施形態１〜１５のいずれか１つに記載の半透過性物品。
【０１３０】
１７．第１層の開口部は、第１層の第１主表面の少なくとも５０％（いくつかの実施形態では、少なくとも７５、いくつかの実施形態では５０〜８０の範囲）の面積を構成する、実施形態１〜１６のいずれか１つに記載の半透過性物品。
【０１３１】
１８．第１層の開口部は０．５ｍｍ〜２５ｍｍの範囲（いくつかの実施形態では０．７５ｍｍ〜１０ｍｍ、又は更には０．７５ｍｍ〜５ｍｍ）の最大寸法を有する、実施形態１〜１７のいずれか１つに記載の半透過性物品。
【０１３２】
１９．第１層及び第２層は一体化されている、実施形態１〜１８のいずれか１つに記載の半透過性物品。
【０１３３】
２０．第１層及び第２層は、感圧接着剤を介して、少なくとも部分的に一緒に固定される、実施形態１〜１８のいずれか１つに記載の半透過性物品。
【０１３４】
２１．感圧性接着剤は再配置可能である、実施形態２０に記載の半透過性物品。
【０１３５】
２２．第１層及び第２層は、恒久的接着剤を介して、少なくとも部分的に一緒に固定される、実施形態１〜１８２（1 to 182）のいずれか１つに記載の半透過性物品。
【０１３６】
２３．第１及び第２層は一緒に熱ラミネートされる、実施形態１〜１８のいずれか１つに記載の半透過性物品。
【０１３７】
２４．主要半透過性表面は微細構造体を含む、実施形態１〜２３のいずれか１つに記載の半透過性物品。
【０１３８】
２５．微細構造対は反復パターンである、実施形態２４に記載の半透過性物品。
【０１３９】
２６．微細構造体は、０．１：１より大きい（いくつかの実施形態では０．２：１、０．３：１、又は更には０．４：１より大きい）高さ対基線比を有する複数の形状から構成される、実施形態２４又は２５のいずれかに記載の半透過性物品。
【０１４０】
２７．微細構造体は、微細構造体の第１の群を有する第１の領域と、第２の異なる微細構造体の群を有する第２の領域と、を含む、実施形態２４〜２６のいずれか１つに記載の半透過性物品。
【０１４１】
２８．半透過性表面は光源に面する、光源、及び実施形態１〜２７のいずれか１つに記載の半透過性物品を備えるライトアセンブリ。
【０１４２】
２９．第１層の複数の開口部は、半透過性表面に対してよりも光源に近い、光源、及び実施形態１〜２７のいずれか１つに記載の半透過性物品を備えるライトアセンブリ。
【０１４３】
３０．第１層の複数の開口部は、半透過性表面に対してよりも光源に近い、光源、及び実施形態１〜２７のいずれか１つに記載の半透過性物品を備えるライトアセンブリ。
【０１４４】
３１．ライトアセンブリであって、
実施形態１〜２７のいずれか１つに記載の半透過性物品と、
外側主表面を有する外側ライトカバーと、
内側主表面を有する反射体であって、半透過性物品が、外側ライトカバーの外側主表面と、反射体の内側主表面との間に配置される、反射体と、
第１の光源と、を備え、
半透過性物品と反射体との間に光学キャビティが存在し、半透過性表面は光源に面し、第１の光源は光を光学キャビティ内に導入するように位置決めされている、ライトアセンブリ。
【０１４５】
３２．第１層の複数の開口部は、半透過性表面に対してよりも光源に近い、実施形態３１に記載のライトアセンブリ。
【０１４６】
３３．半透過性表面は、第１層の複数の開口部に対してよりも光源に近い、実施形態３１に記載のライトアセンブリ。
【０１４７】
３４．半透過性表面は、反射体の内側主表面に対して凸状である、実施形態３１〜３３のいずれか１つに記載のライティングアセンブリ（ライトアセンブリ）。
【０１４８】
３５．反射体が少なくとも部分的に鏡面反射性である、実施形態３１〜３４のいずれか１つに記載のライトアセンブリ。
【０１４９】
３６．反射体が少なくとも部分的に半鏡面反射性である、実施形態３１〜３４のいずれか１つに記載のライティングアセンブリ（ライトアセンブリ）。
【０１５０】
３７．半透過性は少なくとも部分的に鏡面反射性である、実施形態３１〜３６のいずれか１つに記載のライティングアセンブリ（ライトアセンブリ）。
【０１５１】
３８．主要半透過性表面の少なくとも一部分は湾曲しており、反射体の内側主表面は、半透過性表面の湾曲した部分の面積の少なくとも３０（いくつかの実施形態では、５０、７５、又は更には少なくとも９０）％に実質的に平行である、実施形態３１〜３７のいずれか１つに記載のライティングアセンブリ（ライトアセンブリ）。
【０１５２】
３９．外側カバーと反射体の内側主表面との間に配置された拡散体を更に備える、実施形態３１〜３７のいずれか１つに記載のライティングアセンブリ（ライトアセンブリ）。
【０１５３】
４０．反射体の内側表面が、光抽出機構の第１の群を有する第１の領域と、光抽出機構の第２の異なる群を有する第２の領域と、を含む、実施形態３１〜３９のいずれか１つに記載のライティングアセンブリ（ライトアセンブリ）。
【０１５４】
４１．反射体の内側表面が、光抽出機構の反復パターンを含む、実施形態３１〜４０のいずれか１つに記載のライティングアセンブリ（ライトアセンブリ）。
【０１５５】
４２．２：１（いくつかの実施形態では３：１、５：１、１０；１、２５；１、５０：１、又は更には７５：１より大きい）より大きい長さ対深さ比を有する、実施形態３１〜４１のいずれか１つに記載のライティングアセンブリ（ライトアセンブリ）。
【０１５６】
４３．光源は、少なくとも１つの発光ダイオードである、実施形態３１〜４２のいずれか１つに記載のライティングアセンブリ（ライトアセンブリ）。
【０１５７】
４４．第１の光源が、光学キャビティ内に少なくとも部分的に位置付けられたライトガイドを含む、実施形態３１〜４３のいずれか１つに記載のライティングアセンブリ（ライトアセンブリ）。
【０１５８】
４５．透明な色付けされた素子を外側ライトの内側主表面と反射体との間に更に備える、実施形態３１〜４４のいずれか１つに記載のライティングアセンブリ（ライトアセンブリ）。
【０１５９】
４６．透明な色付けされた素子を第１のライトと外側ライトカバーの内側主表面との間に更に備える、実施形態３１〜４４のいずれか一つに記載のライティングアセンブリ（ライトアセンブリ）。
【０１６０】
４７．透明な色付けされた素子を第１の光源と反射体との間に更に備える、実施形態３１〜４６のいずれか１つに記載のライティングアセンブリ（ライトアセンブリ）。
【０１６１】
４８．第１の色の第１のゾーンと、異なる第２の色の第２のゾーンとを提供するために、透明な色付けされた素子は光学キャビティ内に位置付けられる、実施形態３１〜４７のいずれか１つに記載のライティングアセンブリ（ライトアセンブリ）。
【０１６２】
４９．キャビティ内に配置された半鏡面素子を更に備える、実施形態３１〜４８のいずれか１つに記載のライティングアセンブリ（ライトアセンブリ）。
【０１６３】
５０．反射体もまた半透過性である、実施形態３１〜４９のいずれか１つに記載のライティングアセンブリ（ライトアセンブリ）。
【０１６４】
５１．外側ライトカバーは、少なくとも１０％（いくつかの実施形態では、２５％、５０％、７５％、又は更には少なくとも９０％）の再帰反射性である外側主表面を有する、実施形態３１〜５０のいずれか１つに記載のライティングアセンブリ（ライトアセンブリ）。
【０１６５】
５２．反射体が第１及び第２の反射性の領域を含み、第１の反射性の領域は第２の反射性の領域より第１の波長の光に対してより反射性であり、第２の反射性の領域は第１の反射性の領域より第２の異なる波長の光に対してより反射性である、実施形態３１〜５１のいずれか１つに記載のライティングアセンブリ（ライトアセンブリ）。
【０１６６】
５３．半透過性表面が第１及び第２の半透過性の領域を含み、第１の半透過性の領域は第２の半透過性の領域より第１の波長の光に対してより半透過性であり、第２の半透過性の領域は第１の半透過性の領域より第２の異なる波長の光に対してより半透過性である、実施形態３１〜５１のいずれか１つに記載のライティングアセンブリ（ライトアセンブリ）。
【０１６７】
５４．光センサを更に備える、実施形態３１〜５３のいずれか１つに記載のライティングアセンブリ（ライトアセンブリ）。
【０１６８】
５５．熱センサを更に備える、実施形態３１〜５４のいずれか１つに記載のライティングアセンブリ（ライトアセンブリ）。
【０１６９】
５６．実施形態３１〜５５のいずれか１つに記載のライトアセンブリを備える看板。
【０１７０】
５７．実施形態３１〜５５のいずれか１つに記載のライトアセンブリを備えるバックライト。
【０１７１】
５８．実施形態３１〜５５のいずれか１つに記載のライトアセンブリを備えるディスプレイ。
【０１７２】
５９．実施形態３１〜５５のいずれか１つに記載のライトアセンブリを備えるタスクライティング。
【０１７３】
６０．実施形態３１〜５５のいずれか１つに記載のライトアセンブリを備える照明装置。
【０１７４】
６１．車両部品である、実施形態３１〜５５のいずれか１つに記載のライトアセンブリ。
【０１７５】
６２．車両のテールライトアセンブリである、実施形態３１〜５５のいずれか１つに記載のライトアセンブリ。
【０１７６】
６３．実施形態３１〜５５のいずれか１つに記載のライティングアセンブリ（ライトアセンブリ）を備える車両。
【０１７７】
６４．ライトアセンブリであって、
外側主表面を有する外側ライトカバーと、
実施形態１〜２７のいずれか１つに記載の半透過性物品と、
内側主表面を有する反射体であって、半透過性物品が、外側ライトカバーの外側主表面と、反射体の内側主表面との間に配置される、反射体と、
第１の光源と、を備え、
外側ライトカバーと反射体との間には光学キャビティが存在し、第１の光源は光を光学キャビティ内に導入するように位置決めされ、反射体の内側主表面は、半透過性表面に対して、２つの表面の間の分離が、光源から離れる距離に沿って減少するように方向付けられ、距離に対する分離における減少の最大局所比率は０．８：１未満である、ライトアセンブリ。
【０１７８】
６５．複数の開口部は、半透過性表面に対してよりも光源に近い、実施形態６４に記載のライトアセンブリ。
【０１７９】
６６．半透過性表面は、複数の開口部に対してよりも光源に近い、実施形態６４に記載のライトアセンブリ。
【０１８０】
６７．距離に対する分離における最大局所比率が、０．７：１未満（いくつかの実施形態では、０．６：１、０．５：１、０．４：１、０．３５：１、０．３：１、０．２５：１、０．２：１、０．１５：１、０．１：１、又は更には０．０５：１未満）である、実施形態６４〜６６のいずれか１つに記載のライティングアセンブリ（ライトアセンブリ）。
【０１８１】
６８．外側ライトカバーの内側主表面が、反射体に対して凸状である、実施形態６４〜６７のいずれか１つに記載のライティングアセンブリ（ライトアセンブリ）。
【０１８２】
６９．反射体が少なくとも部分的に鏡面反射性である、実施形態６４〜６８のいずれか１つに記載のライティングアセンブリ（ライトアセンブリ）。
【０１８３】
７０．反射体が少なくとも部分的に半鏡面反射性である、実施形態６４〜６９のいずれか１つに記載のライティングアセンブリ（ライトアセンブリ）。
【０１８４】
７１．外側ライトカバーの内側主表面が少なくとも部分的に鏡面反射性である、実施形態６４〜７０のいずれか１つに記載のライティングアセンブリ（ライトアセンブリ）。
【０１８５】
７２．外側ライトカバーの内側主表面が少なくとも部分的に半鏡面反射性である、実施形態６４〜７１のいずれか１つに記載のライティングアセンブリ（ライトアセンブリ）。
【０１８６】
７３．外側カバーと内側主表面との間に配置された拡散体を更に備える、実施形態６４〜７２のいずれか１つに記載のライティングアセンブリ（ライトアセンブリ）。
【０１８７】
７４．反射体の内側表面が、光抽出機構の第１の群を有する第１の領域と、光抽出機構の第２の異なる群を有する第２の領域と、を含む、実施形態６４〜７３のいずれか１つに記載のライティングアセンブリ（ライトアセンブリ）。
【０１８８】
７５．反射体の内側表面が、光抽出機構の反復パターンを含む、実施形態６４〜７４のいずれか１つに記載のライティングアセンブリ（ライトアセンブリ）。
【０１８９】
７６．２：１（いくつかの実施形態では３：１、５：１、１０：１、２５：１、２５：１、５０：１、又は更には７５：１より大きい）より大きい長さ対深さ比を有する、実施形態６４〜７５のいずれか１つに記載のライティングアセンブリ（ライトアセンブリ）。
【０１９０】
７７．光源が、少なくとも１つの発光ダイオードである、実施形態６４〜７６のいずれか１つに記載のライトアセンブリ。
【０１９１】
７８．透明な色付けされた素子を外側ライトの内側主表面と反射体との間に更に備える、実施形態６４〜７７のいずれか１つに記載のライティングアセンブリ（ライトアセンブリ）。
【０１９２】
７９．透明な色付けされた素子を第１のライトと外側ライトの内側主表面との間に更に備える、実施形態６４〜７８のいずれか一つに記載のライティングアセンブリ（ライトアセンブリ）。
【０１９３】
８０．透明な色付けされた素子を第６４の光源と反射体との間に更に備える、実施形態６４〜７９のいずれか１つに記載のライティングアセンブリ（ライトアセンブリ）。
【０１９４】
８１．第１の色の第１のゾーンと、異なる第２の色の第２のゾーンとを提供するために、透明な色付けされた素子は光学キャビティ内に位置付けられる、実施形態６４〜８０のいずれか１つに記載のライティングアセンブリ（ライトアセンブリ）。
【０１９５】
８２．第１の光源と反射体との間に半鏡面素子を更に備える、実施形態６４〜８１のいずれか１つに記載のライティングアセンブリ（ライトアセンブリ）。
【０１９６】
８３．反射体もまた半透過性である、実施形態６４〜８２のいずれか１つに記載のライティングアセンブリ（ライトアセンブリ）。
【０１９７】
８４．外側ライトカバーは、少なくとも１０％（いくつかの実施形態では、２５％、５０％、７５％、又は更には少なくとも９０％）の再帰反射性である外側主表面を有する、実施形態６４〜８３のいずれか１つに記載のライティングアセンブリ（ライトアセンブリ）。
【０１９８】
８５．反射体が第１及び第２の反射性の領域を含み、第１の反射性の領域は第２の反射性の領域より第１の波長の光に対してより反射性であり、第２の反射性の領域は第１の反射性の領域より第２の異なる波長の光に対してより反射性である、実施形態６４〜８４のいずれか１つに記載のライティングアセンブリ（ライトアセンブリ）。
【０１９９】
８６．半透過性表面が第１及び第２の半透過性の領域を含み、第１の半透過性の領域は第２の半透過性の領域より第１の波長の光に対してより半透過性であり、第２の半透過性の領域は第１の半透過性の領域より第２の異なる波長の光に対してより半透過性である、実施形態６４〜８５のいずれか１つに記載のライティングアセンブリ（ライトアセンブリ）。
【０２００】
８７．光センサを更に備える、実施形態６４〜８６のいずれか１つに記載のライティングアセンブリ（ライトアセンブリ）。
【０２０１】
８８．熱センサを更に備える、実施形態６４〜８７に記載のライティングアセンブリ（ライトアセンブリ）。
【０２０２】
８９．実施形態６４〜８８のいずれか１つに記載のライトアセンブリを備える看板。
【０２０３】
９０．実施形態６４〜８８のいずれか１つに記載のライトアセンブリを備えるバックライト。
【０２０４】
９１．実施形態６４〜８８のいずれか１つに記載のライトアセンブリを備えるディスプレイ。
【０２０５】
９２．実施形態６４〜８８のいずれか１つに記載のライトアセンブリを備えるタスクライティング。
【０２０６】
９３．実施形態６４〜８８のいずれか１つに記載のライトアセンブリを備える照明装置。
【０２０７】
９４．車両部品である、実施形態６４〜８８のいずれか１つに記載のライトアセンブリ。
【０２０８】
９５．車両のテールライトアセンブリである、実施形態６４〜８８のいずれか１つに記載のライトアセンブリ。
【０２０９】
９６．実施形態６４〜８８のいずれか１つに記載のライティングアセンブリ（ライトアセンブリ）を備える車両。
【０２１０】
９７．ライトアセンブリであって、
第１及び第２の概ね対向する主表面、並びに第１の色を有する第１区域、及び第２の、異なる色若しくは透明のうちの少なくとも一方を有する第２区域を有する外側ライトカバーであって、第２主表面は内側主表面である、外側ライトカバーと、
外側ライトカバーの内側主表面の少なくとも３０パーセントと平行である内側主表面を有する反射体と、
外側ライトカバーと反射体との間に配置された実施形態１〜３４のいずれか１つに記載の半透過性物品であって、その内側レンズは第１及び第２の概ね対向する主表面を有する、半透過性物品と、
通電されたときに第１の色を放射する第１の光源と、を備え、
半透過性表面の内側主表面と、反射体の内側主表面との間の光学キャビティが存在し、第１の光源は、通電されたときに、外側カバーの第１主表面から見たときに、第１区域及び第２区域に同じ色を提供するように選択され、かつ配置されて、光学キャビティ内へ光を導入する、ライトアセンブリ。
【０２１１】
９８．複数の開口部は、半透過性表面に対してよりも光源に近い、実施形態９７に記載のライトアセンブリ。
【０２１２】
９９．半透過性表面は、複数の開口部に対してよりも光源に近い、実施形態９７に記載のライトアセンブリ。
【０２１３】
１００．第１区域の第１の色は赤色であり、第１光源の第１の色は赤色である、実施形態９７〜９９のいずれか１つに記載のライティングアセンブリ（ライトアセンブリ）。
【０２１４】
１０１．通電されたときに、第１の光源の第１の色とは異なる第２の色を放射する第２の光源を更に備え、この第２の光源は、通電されたときに、外側カバーの第１主表面から見たときに、第１領域に同じ色を提供するように選択され、かつ配置されて、光学キャビティ内へ光を導入する、実施形態９７〜１００のいずれか１つに記載のライティングアセンブリ（ライトアセンブリ）。
【０２１５】
１０２．第２の光源は、通電されたときに、外側カバーの第１主表面から見たときに、第２区域に第２の色も提供するように選択され、かつ配置されて、光学キャビティ内へ光を導入する、実施形態９７に記載のライティングアセンブリ（ライトアセンブリ）。
【０２１６】
１０３．第１の光源及び第２の光源は単一の光学キャビティ内にある、実施形態９７又は１０２に記載のライティングアセンブリ（ライトアセンブリ）。
【０２１７】
１０４．第１の光源及び第２の光源は単一の光学キャビティ内にない、実施形態９７又は１０２に記載のライティングアセンブリ（ライトアセンブリ）。
【０２１８】
１０５．第２区域の第２の色は白であり、第２の光源の第２の色が白色である、実施形態９７〜１０４のいずれか１つに記載のライティングアセンブリ（ライトアセンブリ）。
【０２１９】
１０６．第２区域が透明であり、第２の光源の第２の色が白色である、実施形態９７〜１０４のいずれか１つに記載のライティングアセンブリ（ライトアセンブリ）。
【０２２０】
１０７．第１の光源及び第２の光源は単一の光学キャビティ内にある、実施形態９７〜１０６のいずれか１つに記載のライティングアセンブリ（ライトアセンブリ）。
【０２２１】
１０８．通電されたときに、通電されたときの第１の光源と同じではあるが、第１の光源の第１の色よりも明るい第３の色を放射する第３の光源を更に備え、この第３の光源は通電されたときに、外側カバーの第１主表面から見たときに、第１の光源の強度よりも明るい光強度を提供するように選択され、配置されて、光学キャビティ内へ光を導入する、実施形態９７〜１０７のいずれか１つに記載のライティングアセンブリ（ライトアセンブリ）。
【０２２２】
１０９．通電されたときに、第１の光源の第１の色及び第２の光源の第２の色の両方とは異なる、第４の色を放射する第４の光源を更に備え、この第４の光源は通電されたときに、外側カバーの第１主表面から見たときに、第１の光源及び第２の光源とは異なる色を提供するように選択され、配置されて、光学キャビティ内へ光を導入する、実施形態９７〜１０８のいずれか１つに記載のライティングアセンブリ（ライトアセンブリ）。
【０２２３】
１１０．第３区域の第３の色は琥珀色であり、第３の光源の第３の色は琥珀色である、実施形態１０９に記載のライティングアセンブリ（ライトアセンブリ）。
【０２２４】
１１１．反射体の内側表面は、第１の光抽出機構の群を有する第１の領域を含み、第１の光源は、第１の光抽出機構の群内に少なくとも部分的に配置される、実施形態９７〜１１０のいずれか１つに記載のライティングアセンブリ（ライトアセンブリ）。
【０２２５】
１１２．外側ライトカバーの内側主表面が、反射体に対して概ね凸状である、実施形態９７〜１１１のいずれか１つに記載のライティングアセンブリ（ライトアセンブリ）。
【０２２６】
１１３．反射体が少なくとも部分的に鏡面反射性である、実施形態９７〜１１２のいずれか１つに記載のライティングアセンブリ（ライトアセンブリ）。
【０２２７】
１１４．反射体が少なくとも部分的に半鏡面反射性である、実施形態９７〜１１３のいずれか１つに記載のライティングアセンブリ（ライトアセンブリ）。
【０２２８】
１１５．外側ライトカバーの内側主表面が少なくとも部分的に鏡面反射性である、実施形態９７〜１１４のいずれか１つに記載のライティングアセンブリ（ライトアセンブリ）。
【０２２９】
１１６．外側ライトカバーの内側主表面が少なくとも部分的に半鏡面反射性である、実施形態９７〜１１５のいずれか１つに記載のライティングアセンブリ（ライトアセンブリ）。
【０２３０】
１１７．主要半透過性表面の少なくとも一部分は湾曲しており、反射体の内側主表面は、半透過性表面の湾曲した部分の面積の少なくとも３０％に実質的に平行である、実施形態９７〜１１６のいずれか１つに記載のライティングアセンブリ（ライトアセンブリ）。
【０２３１】
１１８．主要半透過性表面の少なくとも一部分は湾曲しており、反射体の内側主表面は、半透過性表面の湾曲した部分の面積の少なくとも５０（いくつかの実施形態では、７５、又は更には少なくとも９０）％に実質的に平行である、実施形態９７〜１１６のいずれか１つに記載のライティングアセンブリ（ライトアセンブリ）。
【０２３２】
１１９．外側カバーと反射体の内側主表面との間に配置された拡散体を更に備える、実施形態９７〜１１８のいずれか１つに記載のライティングアセンブリ（ライトアセンブリ）。
【０２３３】
１２０．反射体の内側表面が、光抽出機構の第１の群を有する第１の領域と、光抽出機構の第２の異なる群を有する第２の領域と、を含む、実施形態９７〜１１９のいずれか１つに記載のライティングアセンブリ（ライトアセンブリ）。
【０２３４】
１２１．反射体の内側表面が、光抽出機構の反復パターンを含む、実施形態９７〜１２０のいずれか１つに記載のライティングアセンブリ（ライトアセンブリ）。
【０２３５】
１２２．２：１（いくつかの実施形態では３：１、５：１、１０；１、２５；１、５０：１、又は更には７５：１より大きい）より大きい長さ対深さ比を有する、実施形態９７〜１２１のいずれか１つに記載のライトアセンブリ。
【０２３６】
１２３．第１光源及び第２光源はそれぞれ発光ダイオードである、実施形態９７〜１２２のいずれか１つに記載のライティングアセンブリ（ライトアセンブリ）。
【０２３７】
１２４．第１の光源が、光学キャビティ内に少なくとも部分的に位置付けられたライトガイドを含む、実施形態９７〜１２３のいずれか一つのライティングアセンブリ（ライトアセンブリ）。
【０２３８】
１２５．透明な色付けされた素子を外側ライトの内側主表面と反射体との間に更に備える、実施形態９７〜１２４のいずれか１つに記載のライティングアセンブリ（ライトアセンブリ）。
【０２３９】
１２６．キャビティ内に配置された半鏡面素子を更に備える、実施形態９７〜１２５のいずれか１つに記載のライティングアセンブリ（ライトアセンブリ）。
【０２４０】
１２７．反射体もまた半透過性である、実施形態９７〜１２６のいずれか１つに記載ライティングアセンブリ（ライトアセンブリ）。
【０２４１】
１２８．外側ライトカバーは、少なくとも１０％（いくつかの実施形態では、２５％、５０％、７５％、又は更には少なくとも９０％）の再帰反射性である外側主表面を有する、実施形態９７〜１２７のいずれか１つに記載のライティングアセンブリ（ライトアセンブリ）。
【０２４２】
１２９．反射体が第１及び第２の反射性の領域を含み、第１の反射性の領域は第２の反射性の領域より第１の波長の光に対してより反射性であり、第２の反射性の領域は第１の反射性の領域より第２の異なる波長の光に対してより反射性である、実施形態９７〜１２８のいずれか１つに記載のライティングアセンブリ（ライトアセンブリ）。
【０２４３】
１３０．半透過性表面が第１及び第２の半透過性の領域を含み、第１の半透過性の領域は第２の半透過性の領域より第１の波長の光に対してより半透過性であり、第２の半透過性の領域は第１の半透過性の領域より第２の異なる波長の光に対してより半透過性である、実施形態９７〜１２９のいずれか１つに記載のライティングアセンブリ（ライトアセンブリ）。
【０２４４】
１３１．実施形態９７〜１３０のいずれか１つに記載のライトアセンブリを備える看板。
【０２４５】
１３２．実施形態９７〜１３０のいずれか１つに記載のライトアセンブリを備えるバックライト。
【０２４６】
１３３．実施形態９７〜１３０のいずれか１つに記載のライトアセンブリを備えるディスプレイ。
【０２４７】
１３４．車両部品である、実施形態９７〜１３０のいずれか１つに記載のライトアセンブリ。
【０２４８】
１３５．車両のテールライトアセンブリである、実施形態９７〜１３０のいずれか１つに記載のライトアセンブリ。
【０２４９】
１３６．実施形態９７〜１３０のいずれか１つに記載のライティングアセンブリ（ライトアセンブリ）を備える車両。
【０２５０】
本発明の目的及び利点について以下の実施例によって更に説明するが、これらの実施例において記載した特定の材料及びその量、並びに他の条件及び詳細は、本発明を不当に限定するものと解釈されるべきではない。部及びパーセンテージは全て、特に明記しない限り、重量による。
【実施例】
【０２５１】
（実施例１）
好ましい幾何学形状（ＰＧ）のキューブコーナー素子を備える、微細構造化されたキューブコーナーのポリカーボネートフィルムは、層上に形成されたＰＧキューブの多世代複製から、工具による抽出プロセスを用いて調製した。微細構造化工具から微細構造化フィルムを生産するための押出成形プロセスの使用は当該技術分野で既知であり、米国特許第５，４５０，２３５号（Ｓｍｉｔｈら）及び同第７，３６４，４２１号（Ｅｒｉｃｋｓｏｎら）に概ね記載されており、これらの開示は参照により本明細書に組み込まれる。本実施例に使用した工具は、米国特許第７，３２９，０１２号（Ｓｍｉｔｈ）に概ね記載されており、詳細な構造は以下のとおりである。米国特許第７，３２９，０１２号（Ｓｍｉｔｈ）の図１１に示されるような前方傾斜キューブを使用した。前方傾斜ＰＧキューブは、０．１７３ｍｍ（０．００６８インチ）の厚さの層上に形成した。側溝間の間隔は０．１０４ｍｍ（０．００４０８インチ）とした。側溝総合角度は名目９０度であり、溝は、それぞれの層の上面（米国特許第７，３２９，０１２号（Ｓｍｉｔｈ）の図３の基準面２６）に対して名目４５度に配向した。それぞれの側溝形状キューブは２つの隣接するＰＧキューブコーナーに面する。側溝によって形成されるキューブ面は、主溝面と名目上直交であった（９０度の角度を形成する）それぞれの層上の主溝面もまた、上面（米国特許第７，３２９，０１２号（Ｓｍｉｔｈ）の図３の基準面２６）に対して名目４５度に配向した。ｚ方向へのキューブの頂点から最低点までの高さ（米国特許第７，３２９，０１２号（Ｓｍｉｔｈ）の定義による）は０．１６０ｍｍ（０．００６２８インチ）であった。層上のキューブの形成中、再帰反射性を制御するために、スキュー及び勾配を使用してキューブにわずかな２面角誤差を導入した。マスターモールドは、隣接する層のキューブが対向する配向を有する複数の層から形成された。米国特許第７，３２９，０１２号（Ｓｍｉｔｈ）に記載されているように、原型ＰＧキューブマスターモールドの複数の陰レプリカをともに敷設して最終的な工具を形成した。マスターモールドの表面を電気メッキすることによってこれらのレプリカを形成して陰の複製を形成した後、陰の複製を電気メッキして陽の複製を形成し、陽の複製を電気メッキして第２世代の陰の複製を形成し、工具を組立てるために十分なレプリカが作製されるまで続けた。
【０２５２】
上記の好ましい幾何学形状（ＰＧ）を備えるキューブコーナーを備える、微細構造化されたキューブコーナーのポリカーボネートフィルムは、まずフォトリソグラフィを使用して露光し、その微細構造化表面上の五角形のアレイを形成するためにフォトレジストを現像することによって修正された。厚さ０．０５ｍｍ（２ミル）（それぞれ）のドライフィルムフォトレジスト（ＭａｃＤｅｒｍｉｄ（Ｗａｔｅｒｂｕｒｙ，ＣＴ）から商品名「ＭＰ５２０」で入手可能）の３つの層は、基剤の構造化面にラミネートされた。最初の２つの層のライナーは、後続の層を積層する前に取り外した。次いで、得られた材料を、ＵＶフラッド露光システム（Ｃｏｌｉｇｈｔ（Ｆａｒｆｉｅｌｄ，ＮＪ）から「ＣＯＬＩＧＨＴ」の商品名のものを入手した）を用いて、３５％の開口面積の六角形パターンのマスクを通してフラッド露出した。次いで、プリンティングテープ（３Ｍ  Ｃｏｍｐａｎｙから「ＦＬＥＸＭＯＵＮＴ  ＰＲＩＮＴＩＮＧ  ＴＡＰＥ」の商品名のものを入手した）を用いて、ポリカーボネートシートのパターン化されていない面は、ステンレススチール板にラミネートされ、フォトレジストを現像して、開いた六角形の領域のキューブコーナーパターンを露光した。次いで、パターン化された表面を従来の方法で電鋳して、平らなＮｉ工具を作製した。得られるツールパターンは、六角形のエッジ長さ１．７５ｍｍ及び約０．１２ｍｍの形状深さを有した。
【０２５３】
このツールが次いで使用されて、構造体をポリマーシートにエンボス加工して、半透過性シートを形成した。厚さ１．５ｍｍ（１／１６インチ）の透明なポリエチレンテレフタレートコポリマー（ＰＥＴＧ）シート（ＭｃＭａｓｔｅｒ−Ｃａｒｒ（Ｃｈｉｃａｇｏ，ＩＬ）から入手した）は、それを１５０℃（３００°Ｆ）に加熱し、金型（ツール）に対してそれを押し付けることによってエンボス加工された。
【０２５４】
（実施例２）
ライトアセンブリは、図７及び７Ａに概ね示されるように構築されたものであり、外側カバーと、分離した半透過性要素と、曲面反射体と、反射体の穴を通して装着された発光ダイオードとを有する。発光ダイオードは、Ｏｓｒａｍ  Ｏｐｔｏ  Ｓｅｍｉｃｏｎｄｕｃｔｏｒｓ，Ｉｎｃ（カリフォルニア州Ｓａｎｔａ  Ｃｌａｒａ）の「ＯＳＲＡＭ  ＤＩＡＭＯＮＤ  ＤＲＡＧＯＮ」（品番ＬＡ  Ｗ５ＡＰ）を入手し、１．５Ａの電流制限電源により給電した。外側カバーは、Ｇｅｎｅｒａｌ  Ｍｏｔｏｒｓ（Ｄｅｔｒｏｉｔ，ＭＩ）から入手可能な２００８  Ｂｕｉｃｋ  Ｅｎｃｌａｖｅの外側レンズである。
【０２５５】
実施例１に記載の半透過性シートは、ライトアセンブリの半透過性要素の全体的な形状（gross geometry）に熱成形される。この全体的な形状は、外周において、シートは更に、外側カバーの取り付けフランジと接触され、半透過性面の構造化された側は反射体の向けて方向付けられるようなものだった。更に、周辺部の内側は、１８０ｍｍ及び３００ｍｍの半径の円環面と近似である。同じプロセスを使用して、反射体のため形を作製した。反射体は、３ｍｍの一体化半径で接合された厚さ２ｍｍの側部及び背面を有する。側部は外側カバーのツバのところで外側カバーと半透過性シートとを接合し、このツバから垂直に後方に延びる。反射体の背面は半透過性シートと同じ半径の円環面であり、故に、それら２つの間の距離は、反射体の背面とその側部との間の領域付近を除き、あらゆる場所で一定である。感圧性接着剤（３Ｍ  Ｃｏｍｐａｎｙより商品名「３Ｍ  ＡＤＨＥＳＩＶＥ  ＴＲＡＮＳＦＥＲ  ＴＡＰＥ  ９４７１ＬＥ」として入手可能）を用いて、反射体基材の内面に反射性フィルム（３Ｍ  Ｃｏｍｐａｎｙより商品名「ＶＩＫＵＩＴＩ  ＥＮＨＡＮＣＥＤ  ＳＰＥＣＵＬＡＲ  ＲＥＦＬＥＣＴＯＲ  ＦＩＬＭ」として入手可能）を積層した。
【０２５６】
発光ダイオードは反射体基材を通して装着され、光は反射性フィルムの２ｍｍの穴から反射体と半透過性フィルムとの間の体積内に入ることができる。穴は外側カバーの楕円形の平らな部分の下に置かれた。
【０２５７】
（実施例３）
実施例３は、図３に示すように発光ダイオードを側壁に置いたことを除き、実施例２に関して記載したように準備した。
【０２５８】
（実施例４）
微細構造化キューブコーナーポリカーボネートフィルムは、実施例１に記載のとおり入手された。開口面積５０％を備える有孔ウィンドウフィルム（３Ｍ  Ｃｏｍｐａｎｙから商品名「ＳＣＯＴＣＨＣＡＬ  ＰＥＲＦＯＲＡＴＥＤ  ＷＩＮＤＯＷ  ＧＲＡＰＨＩＣ  ＦＩＬＭ  ＩＪ８１７１」で入手可能）は、微細構造化キューブコーナーポリカーボネートフィルムの微細構造化面に手でラミネートされて、半透過性シートを得た。
【０２５９】
（実施例５）
半透過性シートが実施例４に従って作製されたのを除き、ライトアセンブリは実施例２に記載のとおり構築された。このアセンブリからの光は、光源から最も遠くの点において、光源に最も近い点よりもわずかに暗いようだった。有孔フィルムに存在する円形パターンは、ライトアセンブリで容易に見られた。
【０２６０】
（実施例６）
微細構造化キューブコーナーポリカーボネートフィルムは、実施例１に記載のとおり入手された。開口面積３０％を備える有孔ウィンドウフィルム（３Ｍ  Ｃｏｍｐａｎｙから商品名「３Ｍ  ＤＵＡＬ−ＣＯＬＯＲ  ＦＩＬＭ  ３６３５−２１０  ＷＨＩＴＥ」で入手可能）は、微細構造化キューブコーナーポリカーボネートフィルムの平滑面に手動でラミネートされて、半透過性シートを得た。
【０２６１】
（実施例７）
半透過性シートが実施例６に従って作製されたのを除き、ライトアセンブリは実施例２に記載のとおり構築された。このアセンブリからの光は、ライトアセンブリにわたって均一のようだった。
【０２６２】
（実施例８）
開口面積３０％を備える有孔ウィンドウフィルム（３Ｍ  Ｃｏｍｐａｎｙから商品名「３Ｍ  ＤＵＡＬ−ＣＯＬＯＲ  ＦＩＬＭ  ３６３５−２１０  ＷＨＩＴＥ」で入手可能）は、実施例１で作製された六角形のパターン形成されたフィルムの平滑面に手動でラミネートされた。
【０２６３】
（実施例９）
開口面積３０％を備える有孔ウィンドウフィルム（３Ｍ  Ｃｏｍｐａｎｙから商品名「３Ｍ  ＤＵＡＬ−ＣＯＬＯＲ  ＦＩＬＭ  ３６３５−２１０  ＷＨＩＴＥ」で入手可能）は、実施例１で作製された六角形のパターン形成されたフィルムの平滑面に手動でラミネートされた。
【０２６４】
本開示の範囲及び趣旨から外れることなく、本発明の予測可能な修正及び変更が当業者には自明であろう。本発明は、説明を目的として本出願に記載される各実施形態に限定されるべきものではない。
【図１】
2013515289.tif 000004
【図１Ａ】
2013515289.tif 000005
【図２】
2013515289.tif 000006
【図２Ａ】
2013515289.tif 000007
【図３】
2013515289.tif 000008
【図４】
2013515289.tif 000009
【図５】
2013515289.tif 000010
【図６】
2013515289.tif 000011
【図７】
2013515289.tif 000012
【図７Ａ】
2013515289.tif 000013
【図８】
2013515289.tif 000014
【図８Ａ】
2013515289.tif 000015
【図９】
2013515289.tif 000016
【図１０】
2013515289.tif 000017
【図１１】
2013515289.tif 000018
【図１２】
2013515289.tif 000019
【図１３】
2013515289.tif 000020
【図１４】
2013515289.tif 000021
【図１５】
2013515289.tif 000022
【図１５Ａ】
2013515289.tif 000023
【図１５Ｂ】
2013515289.tif 000024
【図１６】
2013515289.tif 000025
【図１６Ａ】
2013515289.tif 000026
【図１６Ｂ】
2013515289.tif 000027
【国際調査報告】
2013515289.tif 000028
2013515289.tif 000029
2013515289.tif 000030